(57)【要約】  マクロノードからフェムトノードへのアクセス端末のハンドオフを実行するためのシステムおよび方法を開示する。一実施形態では、フェムトノードは、信号品質を判断するための所定の信号と、フェムトノードを一意に識別する識別子とをアクセス端末に送信するように構成される。アクセス端末は、その識別子をマクロノードに送信するように構成される。フェムトノードは、送信された識別子に基づいてハンドインターゲットとして識別され、マクロノードは、アクセス端末をフェムトノードにハンドインするように構成される。
2011528540.tif 000002
【特許請求の範囲】
【請求項１】
アクセス端末とフェムトノードとの間で通信する方法であって、
フェムトノードからアクセス端末に既知の信号を送信することであって、前記既知の信号が、前記アクセス端末によって基準信号と比較されるように構成された、送信することと、
前記フェムトノードから前記アクセス端末に第１のメッセージを送信することであって、前記第１のメッセージが、前記フェムトノードを一意に識別する識別子を備える、送信することと、
前記フェムトノードによって第２のメッセージを受信することであって、前記第２のメッセージが、マクロノードから前記フェムトノードへの前記アクセス端末のハンドインを可能にする情報を備え、前記フェムトノードが、前記識別子に少なくとも部分的に基づいてハンドインターゲットとして識別される、受信することと、
前記第２のメッセージに応答して前記アクセス端末と通信することと
を備える方法。
【請求項２】
前記フェムトノードによって前記識別子をフェムトスイッチから受信することをさらに備える、請求項１に記載の方法。
【請求項３】
前記第１のメッセージを送信することは、前記第１のメッセージを周期的にブロードキャストすることを備える、請求項１に記載の方法。
【請求項４】
前記第２のメッセージを受信することは、前記第２のメッセージを前記マクロノードから受信することを備える、請求項１に記載の方法。
【請求項５】
前記第２のメッセージを受信することは、前記第２のメッセージをフェムトスイッチから受信することを備える、請求項１に記載の方法。
【請求項６】
前記既知の信号は、前記アクセス端末における受信時に、前記基準信号と比較することによって前記既知の信号の信号強度を判断するためのパイロット信号を備える、請求項１に記載の方法。
【請求項７】
前記識別子は、前記フェムトノードをフェムトスイッチに関連付ける第１の値と、前記フェムトスイッチをモバイル交換センタに関連付ける第２の値とを備える、請求項１に記載の方法。
【請求項８】
前記識別子は、アクセスポイント識別子、フェムト機器識別子、イーサネットメディアアクセス制御アドレス、セクタ識別子、基地局識別子、およびインターネットプロトコルアドレスのうちの少なくとも１つを備える、請求項１に記載の方法。
【請求項９】
前記マクロノードは、第１のエリア内で前記アクセス端末に通信カバレッジを与えるように構成され、前記フェムトノードは、第２のエリア内で前記アクセス端末に通信カバレッジを与えるように構成され、前記第１のエリアが前記第２のエリアよりも大きい、請求項１に記載の方法。
【請求項１０】
前記フェムトノード、前記アクセス端末、および前記マクロノードは、トランシーバを備える、請求項１に記載の方法。
【請求項１１】
送信機であって、
アクセス端末に既知の信号を送信することであって、前記既知の信号は、前記送信機をフェムトノード送信機として識別し、前記既知の信号は、前記アクセス端末によって基準信号と比較されるように構成された、送信することと、
前記アクセス端末に識別子を送信することであって、前記識別子は前記送信機を一意に識別する、送信することと、を行うように構成された送信機と、
メッセージを受信するように構成された受信機であって、前記メッセージは、マクロノードから前記送信機および前記受信機への前記アクセス端末のハンドインを可能にする情報を備え、前記送信機および前記受信機は、前記識別子に少なくとも部分的に基づいてハンドインターゲットとして識別される、受信機と、
前記メッセージに応答して前記送信機および／または前記受信機と前記アクセス端末との間に通信リンクを確立するように構成された処理回路と
を備えるワイヤレス通信装置。
【請求項１２】
前記受信機は、前記識別子をフェムトスイッチから受信するようにさらに構成された、請求項１１に記載のワイヤレス通信装置。
【請求項１３】
前記送信機は、前記識別子を周期的にブロードキャストするように構成された、請求項１１に記載のワイヤレス通信装置。
【請求項１４】
前記受信機は、前記メッセージを前記マクロノードから受信するように構成された、請求項１１に記載のワイヤレス通信装置。
【請求項１５】
前記受信機は、前記メッセージをフェムトスイッチから受信するように構成された、請求項１１に記載のワイヤレス通信装置。
【請求項１６】
前記既知の信号は、前記アクセス端末における受信時に、前記基準信号と比較することにより前記既知の信号の信号強度を判断するためのパイロット信号を備える、請求項１１に記載のワイヤレス通信装置。
【請求項１７】
前記識別子は、前記送信機および前記受信機をフェムトスイッチに関連付ける第１の値と、前記フェムトスイッチをモバイル交換センタに関連付ける第２の値とを備える、請求項１１に記載のワイヤレス通信装置。
【請求項１８】
前記識別子は、アクセスポイント識別子、フェムト機器識別子、イーサネットメディアアクセス制御アドレス、セクタ識別子、基地局識別子、およびインターネットプロトコルアドレスのうちの少なくとも１つを備える、請求項１１に記載のワイヤレス通信装置。
【請求項１９】
前記マクロノードは、第１のエリア内で前記アクセス端末に通信カバレッジを与えるように構成され、前記送信機および前記受信機は、第２のエリア内で前記アクセス端末に通信カバレッジを与えるように構成され、前記第１のエリアは前記第２のエリアよりも大きい、請求項１１に記載のワイヤレス通信装置。
【請求項２０】
前記アクセス端末および前記マクロノードは、トランシーバを備える、請求項１１に記載のワイヤレス通信装置。
【請求項２１】
フェムトノードからアクセス端末に既知の信号を送信することをコンピュータに行わせるためのコードであって、前記既知の信号は、前記アクセス端末によって基準信号と比較されるように構成された、コードと、
前記フェムトノードから前記アクセス端末に第１のメッセージを送信することをコンピュータに行わせるためのコードであって、前記第１のメッセージは、前記フェムトノードを一意に識別する識別子を備える、コードと、
前記フェムトノードによって第２のメッセージを受信することをコンピュータに行わせるためのコードであって、前記第２のメッセージは、マクロノードから前記フェムトノードへの前記アクセス端末のハンドインを可能にする情報を備え、前記フェムトノードは、前記識別子に少なくとも部分的に基づいてハンドインターゲットとして識別される、コードと、
前記第２のメッセージに応答して前記アクセス端末と通信することをコンピュータに行わせるためのコードと
を備えるコンピュータ可読媒体
を備えるコンピュータプログラム製品。
【請求項２２】
前記フェムトノードによって前記識別子をフェムトスイッチから受信することをコンピュータに行わせるためのコードをさらに備える、請求項２１に記載のコンピュータプログラム製品。
【請求項２３】
前記第１のメッセージを送信することをコンピュータに行わせるための前記コードは、前記第１のメッセージを周期的にブロードキャストすることをコンピュータに行わせるためのコードを備える、請求項２１に記載のコンピュータプログラム製品。
【請求項２４】
前記第２のメッセージを受信することをコンピュータに行わせるための前記コードは、前記第２のメッセージを前記マクロノードから受信することをコンピュータに行わせるためのコードを備える、請求項２１に記載のコンピュータプログラム製品。
【請求項２５】
前記第２のメッセージを受信することをコンピュータに行わせるための前記コードは、前記第２のメッセージを前記フェムトスイッチから受信することをコンピュータに行わせるためのコードを備える、請求項２１に記載のコンピュータプログラム製品。
【請求項２６】
前記既知の信号は、前記アクセス端末における受信時に、前記基準信号と比較することにより、前記既知の信号の信号強度を判断するためのパイロット信号を備える、請求項２１に記載のコンピュータプログラム製品。
【請求項２７】
前記識別子は、前記フェムトノードをフェムトスイッチに関連付ける第１の値と、前記フェムトスイッチをモバイル交換センタに関連付ける第２の値とを備える、請求項２１に記載のコンピュータプログラム製品。
【請求項２８】
前記識別子は、アクセスポイント識別子、フェムト機器識別子、イーサネットメディアアクセス制御アドレス、セクタ識別子、基地局識別子、およびインターネットプロトコルアドレスのうちの少なくとも１つを備える、請求項２１に記載のコンピュータプログラム製品。
【請求項２９】
前記マクロノードは、第１のエリア内で前記アクセス端末に通信カバレッジを与えるように構成され、前記フェムトノードは、第２のエリア内で前記アクセス端末に通信カバレッジを与えるように構成され、前記第１のエリアは前記第２のエリアよりも大きい、請求項２１に記載のコンピュータプログラム製品。
【請求項３０】
前記フェムトノード、前記アクセス端末、および前記マクロノードは、トランシーバを備える、請求項２１に記載のコンピュータプログラム製品。
【請求項３１】
アクセス端末に既知の信号を送信し、前記アクセス端末に識別子を送信するための手段であって、前記既知の信号は、前記送信手段をフェムトノード送信手段として識別し、前記既知の信号は、前記アクセス端末によって基準信号と比較されるように構成され、前記識別子は前記送信手段を一意に識別する、送信するための手段と、
メッセージを受信するための手段であって、前記メッセージは、マクロノードから前記送信手段および前記受信手段への前記アクセス端末のハンドインを可能にする情報を備え、前記送信手段および前記受信手段は、前記識別子に少なくとも部分的に基づいてハンドインターゲットとして識別される、受信するための手段と、
前記メッセージに応答して前記送信手段および前記受信手段並びに前記アクセス端末の間に通信リンクを確立するための手段と
を備えるワイヤレス通信装置。
【請求項３２】
前記識別子をフェムトスイッチから受信するための手段をさらに備える、請求項３１に記載のワイヤレス通信装置。
【請求項３３】
前記識別子を送信することは、前記識別子を周期的にブロードキャストすることを備える、請求項３１に記載のワイヤレス通信装置。
【請求項３４】
前記メッセージを受信することは、前記メッセージを前記マクロノードから受信することを備える、請求項３１に記載のワイヤレス通信装置。
【請求項３５】
前記メッセージを受信することは、前記メッセージをフェムトスイッチから受信することを備える、請求項３１に記載のワイヤレス通信装置。
【請求項３６】
前記既知の信号は、前記アクセス端末における受信時に、前記基準信号と比較することにより前記既知の信号の信号強度を判断するためのパイロット信号を備える、請求項３１に記載のワイヤレス通信装置。
【請求項３７】
前記識別子は、前記送信手段および前記受信手段をフェムトスイッチに関連付ける第１の値と、前記フェムトスイッチをモバイル交換センタに関連付ける第２の値とを備える、請求項３１に記載のワイヤレス通信装置。
【請求項３８】
前記識別子は、アクセスポイント識別子、フェムト機器識別子、イーサネットメディアアクセス制御アドレス、セクタ識別子、基地局識別子、およびインターネットプロトコルアドレスのうちの少なくとも１つを備える、請求項３１に記載のワイヤレス通信装置。
【請求項３９】
前記マクロノードは、第１のエリア内で前記アクセス端末に通信カバレッジを与えるように構成され、前記送信手段および前記受信手段は、第２のエリア内で前記アクセス端末に通信カバレッジを与えるように構成され、前記第１のエリアは前記第２のエリアよりも大きい、請求項３１に記載のワイヤレス通信装置。
【請求項４０】
前記アクセス端末および前記マクロノードは、トランシーバを備える、請求項３１に記載のワイヤレス通信装置。
【請求項４１】
フェムトノードから所定の信号を受信することと、
前記フェムトノードから第１のメッセージを受信することであって、前記第１のメッセージは、前記フェムトノードを一意に識別する識別子を備える、受信することと
を行うように構成された受信機と、
前記受信した所定の信号を基準信号と比較することに少なくとも部分的に基づいて、前記受信した所定の信号の信号強度を判断することと、
前記第１のメッセージから前記識別子を得ることと
を行うように構成された処理回路と、
前記識別子をマクロノードに送信するように構成された送信機であって、前記フェムトノードは、前記識別子に少なくとも部分的に基づいてハンドインターゲットとして識別され、前記受信機は、第２のメッセージを受信するようにさらに構成され、前記第２のメッセージは、前記マクロノードから前記フェムトノードへの前記送信機および前記受信機のハンドインを可能にする情報を備え、前記処理回路は、前記第２のメッセージに応答して前記送信機および／または前記受信機と前記フェムトノードとの間に通信リンクを確立するようにさらに構成された、送信機と、
を備えるワイヤレス通信装置。
【請求項４２】
前記受信機は、前記第２のメッセージを前記マクロノードから受信するように構成された、請求項４１に記載のワイヤレス通信装置。
【請求項４３】
前記受信機は、前記第２のメッセージを前記フェムトノードから受信するように構成された、請求項４１に記載のワイヤレス通信装置。
【請求項４４】
前記既知の信号はパイロット信号を備える、請求項４１に記載のワイヤレス通信装置。
【請求項４５】
前記識別子は、前記フェムトノードをフェムトスイッチに関連付ける第１の値と、前記フェムトスイッチをモバイル交換センタに関連付ける第２の値とを備える、請求項４１に記載のワイヤレス通信装置。
【請求項４６】
前記識別子は、アクセスポイント識別子、フェムト機器識別子、イーサネットメディアアクセス制御アドレス、セクタ識別子、基地局識別子、およびインターネットプロトコルアドレスのうちの少なくとも１つを備える、請求項４１に記載のワイヤレス通信装置。
【請求項４７】
前記マクロノードは、第１のエリア内で前記受信機および前記送信機に通信カバレッジを与えるように構成され、前記フェムトノードは、第２のエリア内で前記受信機および前記送信機に通信カバレッジを与えるように構成され、前記第１のエリアは前記第２のエリアよりも大きい、請求項４１に記載のワイヤレス通信装置。
【請求項４８】
前記フェムトノードおよび前記マクロノードは、トランシーバを備える、請求項４１に記載のワイヤレス通信装置。
【発明の詳細な説明】
【関連出願の相互参照】
【０００１】
本特許出願は、本出願の譲受人に譲渡され、参照により本明細書に明確に組み込まれる、２００８年７月１５日に出願されたAir-Interface Enhancements for Femto Cells & Self Organizing Networksと題する米国特許仮出願第６１／０８１，００６号の優先権を主張する。
【技術分野】
【０００２】
本出願は、一般にワイヤレス通信に関し、より詳細には、接続された呼中にマクロノードからフェムトノードへのハンドオフを可能にするためのシステムおよび方法に関する。
【背景技術】
【０００３】
ワイヤレス通信システムは、様々なタイプの通信（たとえば、ボイス、データ、マルチメディアサービスなど）を複数のユーザに提供するために広く展開されている。高速なマルチメディアデータサービスの需要が急速に増大するにつれて、向上したパフォーマンスをもつ効率的でロバストな通信システムを実装することが課題となっている。
【０００４】
現在展開されている携帯電話ネットワークに加えて、ユーザの家に設置され、既存のブロードバンドインターネット接続を使用して屋内ワイヤレスカバレッジをモバイルユニットに与えることができる新しいクラスの小さい基地局が出現した。そのようなパーソナル小型基地局は、一般に、アクセスポイント基地局、または、代替的に、ホームノードＢ（ＨＮＢ）またはフェムトノードとして知られている。典型的には、そのような小型基地局は、ＤＳＬルータまたはケーブルモデムを介してインターネットおよびモバイル事業者のネットワークに接続される。複数のフェムトノードは、従来のマクロノードのカバレッジエリア中で、個人ユーザによって展開され得る。このタイプの展開は、マクロノードから特定のフェムトノードに呼をハンドオフすることを複雑にすることがあり得る。マクロノードからフェムトノードに呼をハンドオフする方法を調整することが望ましいことがある。
【発明の概要】
【０００５】
一実施形態では、アクセス端末とフェムトノードとの間で通信する方法が提供される。本方法は、フェムトノードからアクセス端末に既知の信号を送信することであって、既知の信号が、アクセス端末によって基準信号と比較されるように構成された、送信することを備える。本方法は、フェムトノードからアクセス端末に第１のメッセージを送信することをさらに備える。第１のメッセージは、フェムトノードを一意に識別する識別子を備える。本方法は、フェムトノードによって第２のメッセージを受信することをさらに備える。第２のメッセージは、マクロノードからフェムトノードへのアクセス端末のハンドインを可能にする情報を備える。フェムトノードは、上記識別子に少なくとも部分的に基づいてハンドインターゲットとして識別される。本方法は、第２のメッセージに応答してアクセス端末と通信することをさらに備える。
【０００６】
別の実施形態では、ワイヤレス通信装置が提供される。本装置は、アクセス端末に既知の信号を送信するように構成された送信機であって、既知の信号が、その送信機をフェムトノード送信機として識別し、既知の信号が、アクセス端末によって基準信号と比較されるように構成された、送信機を備える。送信機は、アクセス端末に識別子を送信するようにさらに構成され、その識別子は送信機を一意に識別する。本装置は、メッセージを受信するように構成された受信機であって、そのメッセージが、マクロノードから送信機および受信機へのアクセス端末のハンドインを可能にする情報を備える、受信機をさらに備える。送信機および受信機は、上記識別子に少なくとも部分的に基づいてハンドインターゲットとして識別される。本装置は、上記メッセージに応答して送信機および／または受信機とアクセス端末との間に通信リンクを確立するように構成された処理回路をさらに備える。
【０００７】
さらなる実施形態では、コンピュータプログラム製品が提供される。本コンピュータプログラム製品はコンピュータ可読媒体を備える。コンピュータ可読媒体は、フェムトノードからアクセス端末に既知の信号を送信することをコンピュータに行わせるためのコードであって、既知の信号が、アクセス端末によって基準信号と比較されるように構成された、コードを備える。本コンピュータプログラム製品は、フェムトノードからアクセス端末に第１のメッセージを送信することをコンピュータに行わせるためのコードであって、第１のメッセージが、フェムトノードを一意に識別する識別子を備える、コードをさらに備える。本コンピュータプログラム製品は、フェムトノードによって第２のメッセージを受信することをコンピュータに行わせるためのコードであって、第２のメッセージが、マクロノードからフェムトノードへのアクセス端末のハンドインを可能にする情報を備える、コードをさらに備える。フェムトノードは、上記識別子に少なくとも部分的に基づいてハンドインターゲットとして識別される。本コンピュータプログラム製品は、第２のメッセージに応答してアクセス端末と通信することをコンピュータに行わせるためのコードをさらに備える。
【０００８】
別の実施形態では、ワイヤレス通信装置が提供される。本ワイヤレス通信装置は、アクセス端末に既知の信号を送信し、アクセス端末に識別子を送信するための手段であって、既知の信号が、上記送信手段をフェムトノード送信手段として識別し、既知の信号が、アクセス端末によって基準信号と比較されるように構成され、上記識別子が上記送信手段を一意に識別する、送信するための手段を備える。本ワイヤレス通信装置は、メッセージを受信するための手段であって、そのメッセージが、マクロノードから上記送信手段および上記受信手段へのアクセス端末のハンドインを可能にする情報を備える、受信するための手段をさらに備える。上記送信手段および上記受信手段は、上記識別子に少なくとも部分的に基づいてハンドインターゲットとして識別される。本ワイヤレス通信装置は、上記メッセージに応答して上記送信手段および上記受信手段とアクセス端末との間に通信リンクを確立するための手段をさらに備える。
【０００９】
別の実施形態では、ワイヤレス通信装置が提供される。本装置は、フェムトノードから所定の信号を受信するように構成された受信機を備える。受信機は、フェムトノードから第１のメッセージを受信するようにさらに構成され、第１のメッセージは、フェムトノードを一意に識別する識別子を備える。本装置は、受信した所定の信号を基準信号と比較することに少なくとも部分的に基づいて、受信した所定の信号の信号強度を判断するように構成された処理回路をさらに備える。処理回路は、第１のメッセージから上記識別子を得るようにさらに構成される。本装置は、上記識別子をマクロノードに送信するように構成された送信機をさらに備える。フェムトノードは、上記識別子に少なくとも部分的に基づいてハンドインターゲットとして識別される。受信機は、第２のメッセージを受信するようにさらに構成され、第２のメッセージは、マクロノードからフェムトノードへの送信機および受信機のハンドインを可能にする情報を備える。処理回路は、第２のメッセージに応答して送信機および／または受信機とフェムトノードとの間に通信リンクを確立するようにさらに構成される。
【図面の簡単な説明】
【００１０】
【図１】図１は、例示的なワイヤレス通信ネットワークを示す図である。
【図２】図２は、２つ以上の通信ネットワークの例示的な相互動作を示す図である。
【図３】図３は、図２に示す例示的なフェムトノードの機能ブロック図。である
【図４】図４は、図２に示す例示的なアクセス端末の機能ブロック図である。
【図５】図５は、図２に示す例示的なマクロノードの機能ブロック図である。
【図６】図６は、図２に示す例示的なモバイル交換センタの機能ブロック図である。
【図７】図７は、図２に示す例示的なマクロフェムトインターネットワーキング機能の機能ブロック図である。
【図８】図８は、図２に示すフェムトノードによって使用する例示的なアクセスポイント識別（ＡＰＩＤＭ）メッセージを示す図である。
【図９】図９は、図２に示すマクロノードからフェムトノードへのハンドオフを実行するための例示的なプロセスのフローチャートである。
【図１０】図１０は、たとえば、図１および図２に示すワイヤレス通信ネットワークの例示的なカバレッジエリアを示す図である。
【図１１】図１１は、図２に示す別の例示的なノードと別の例示的なアクセス端末との機能ブロック図である。
【図１２】図１２は、図２に示すさらに別の例示的なフェムトノードの機能ブロック図である。
【図１３】図１３は、図２に示すさらに別の例示的なアクセス端末の機能ブロック図である。
【発明を実施するための形態】
【００１１】
「例示的」という単語は、本明細書では「例、事例、または例示のような働きをすること」を意味するために使用する。本明細書で「例示的」と記載されたいかなる実施形態も、必ずしも他の実施形態よりも好ましいまたは有利であると解釈すべきではない。本明細書で説明する技法は、符号分割多元接続（ＣＤＭＡ）ネットワーク、時分割多元接続（ＴＤＭＡ）ネットワーク、周波数分割多元接続（ＦＤＭＡ）ネットワーク、直交ＦＤＭＡ（ＯＦＤＭＡ）ネットワーク、シングルキャリアＦＤＭＡ（ＳＣ−ＦＤＭＡ）ネットワークなどのような様々なワイヤレス通信ネットワークに対して使用できる。「ネットワーク」および「システム」という用語は、しばしば互換的に使用される。ＣＤＭＡネットワークは、ユニバーサル地上波無線接続（Universal Terrestrial Radio Access：ＵＴＲＡ）、ｃｄｍａ２０００などの無線技術を実装することができる。ＵＴＲＡは、広帯域ＣＤＭＡ（Ｗ−ＣＤＭＡ）および低チップレート（ＬＣＲ）を含む。ｃｄｍａ２０００は、ＩＳ−２０００、ＩＳ−９５およびＩＳ−８５６規格をカバーする。ＴＤＭＡネットワークは、移動体通信用グローバルシステム（Global System for Mobile Communications：ＧＳＭ（登録商標））などの無線技術を実装することができる。ＯＦＤＭＡネットワークは、Ｅｖｏｌｖｅｄ  ＵＴＲＡ（Ｅ−ＵＴＲＡ）、ＩＥＥＥ８０２．１１、ＩＥＥＥ８０２．１６、ＩＥＥＥ８０２．２０、Ｆｌａｓｈ−ＯＦＤＭＡなどの無線技術を実装することができる。ＵＴＲＡ、Ｅ−ＵＴＲＡ、およびＧＳＭは、ユニバーサル移動体通信システム（Universal Mobile Telecommunication System：ＵＭＴＳ）の一部である。ロングターム・エボリューション（Long Term Evolution：ＬＴＥ）は、Ｅ−ＵＴＲＡを使用するＵＭＴＳの今度のリリースである。ＵＴＲＡ、Ｅ−ＵＴＲＡ、ＧＳＭ、ＵＭＴＳおよびＬＴＥは、「3rd Generation Partnership Project」（３ＧＰＰ）という名称の組織からの文書に記載されている。ｃｄｍａ２０００は、「3rd Generation Partnership Project 2」（３ＧＰＰ２）という名称の組織からの文書に記載されている。これらの様々な無線技術および規格は当技術分野で知られている。
【００１２】
シングルキャリア変調および周波数領域等化を利用するシングルキャリア周波数分割多元接続（ＳＣ−ＦＤＭＡ）は、１つの技法である。ＳＣ−ＦＤＭＡは、ＯＦＤＭＡシステムと同様の性能および本質的に同じ全体的な複雑さを有する。ＳＣ−ＦＤＭＡ信号は、その特有のシングルキャリア構造のためにより低いピーク対平均電力比（ＰＡＰＲ）を有する。ＳＣ−ＦＤＭＡは特に、より低いＰＡＰＲが送信電力効率の点でモバイル端末に大幅な利益を与えるアップリンク通信において大きい注目を引いている。それは現在、３ＧＰＰロングターム・エボリューション（ＬＴＥ）、またはＥｖｏｌｖｅｄ  ＵＴＲＡにおけるアップリンク多元接続方式に関する実用的な前提である。
【００１３】
いくつかの態様では、マクロスケールのカバレッジ（たとえば、一般にマクロセルネットワークと呼ばれる、３Ｇネットワークなどの広域セルラーネットワーク）、およびより小さいスケールのカバレッジ（たとえば、住居ベースまたは建築物ベースのネットワーク環境）を含むネットワーク中で、本明細書の教示を採用することができる。アクセス端末（「ＡＴ」）がそのようなネットワーク中を移動するとき、アクセス端末は、あるロケーションでは、マクロカバレッジを与えるアクセスノード（「ＡＮ」）によってサービスされ、他のロケーションでは、より小さいスケールのカバレッジを与えるアクセスノードによってサービスされることがある。いくつかの態様では、より小さいカバレッジノードを使用して、（たとえば、よりロバストなユーザ経験のために）増分キャパシティの増大と、屋内カバレッジと、様々なサービスとを与えることができる。本明細書での説明では、比較的大きいエリアにわたるカバレッジを与えるノードを、マクロノードと呼ぶ。比較的小さいエリア（たとえば、住居）にわたるカバレッジを与えるノードを、フェムトノードと呼ぶ。マクロエリアよりも小さく、フェムトエリアよりも大きいエリアにわたるカバレッジを与える（たとえば、商業建築物内のカバレッジを与える）ノードを、ピコノードと呼ぶ。
【００１４】
マクロノード、フェムトノード、またはピコノードに関連付けられたセルを、それぞれ、マクロセル、フェムトセル、またはピコセルと呼ぶ。いくつかの実装形態では、各セルをさらに１つまたは複数のセクタに関連付ける（たとえば、分割する）ことができる。
【００１５】
様々な適用例では、マクロノード、フェムトノード、またはピコノードを指すために他の用語を使用することがある。たとえば、マクロノードを、アクセスノード、基地局、アクセスポイント、ｅノードＢ、マクロセルなどとして構成し、またはそのように呼ぶことがある。また、フェムトノードを、ホームノードＢ、ホームｅノードＢ、アクセスポイント基地局、フェムトセルなどとして構成し、またはそのように呼ぶことがある。
【００１６】
図１は、例示的なワイヤレス通信ネットワーク１００を示す。ワイヤレス通信ネットワーク１００は、何人かのユーザ間の通信をサポートするように構成される。ワイヤレス通信ネットワーク１００は、１つまたは複数のセル１０２、たとえば、セル１０２ａ〜１０２ｇなどに分割できる。セル１０２ａ〜１０２ｇ中の通信カバレッジは、１つまたは複数のノード１０４、たとえば、ノード１０４ａ〜１０４ｇなどによって与えることができる。各ノード１０４は、対応するセル１０２に通信カバレッジを与えることができる。ノード１０４は、複数のアクセス端末（ＡＴ）、たとえば、ＡＴ１０６ａ〜１０６ｌなどと対話することができる。
【００１７】
各ＡＴ１０６は、所与の瞬間に順方向リンク（「ＦＬ」）および／または逆方向リンク（「ＲＬ」）上で１つまたは複数のノード１０４と通信することができる。ＦＬは、ノードからＡＴへの通信リンクである。ＲＬは、ＡＴからノードへの通信リンクである。ノード１０４は、たとえば、適切なワイヤードまたはワイヤレスインターフェースによって相互接続でき、互いに通信することが可能である。したがって、各ＡＴ１０６は、１つまたは複数のノード１０４を介して別のＡＴ１０６と通信することができる。たとえば、ＡＴ１０６ｊは、次のようにＡＴ１０６ｈと通信することができる。ＡＴ１０６ｊがノード１０４ｄと通信することができる。次いで、ノード１０４ｄはノード１０４ｂと通信することができる。次いで、ノード１０４ｂはＡＴ１０６ｈと通信することができる。したがって、ＡＴ１０６ｊとＡＴ１０６ｈとの間に通信が確立される。
【００１８】
ワイヤレス通信ネットワーク１００は広い地理的領域にわたってサービスを提供することができる。たとえば、セル１０２ａ〜１０２ｇは、近隣内の数ブロックまたは地方環境における数平方マイルのみをカバーすることがある。一実施形態では、各セルは、１つまたは複数のセクタ（図示せず）にさらに分割できる。
【００１９】
上述のように、ノード１０４は、そのカバレッジエリア内で、たとえばインターネットまたはセルラーネットワークなどの通信ネットワークへのアクセスをアクセス端末（ＡＴ）１０６に与えることができる。
【００２０】
ＡＴ１０６は、通信ネットワークを介してボイスまたはデータを送信および受信するためにユーザによって使用されるワイヤレス通信装置（たとえば、携帯電話、ルータ、パーソナルコンピュータ、サーバなど）とすることができる。アクセス端末（ＡＴ）は、本明細書では、ユーザ機器（ＵＥ）、移動局（ＭＳ）、または端末装置と呼ばれることもある。図示のように、ＡＴ１０６ａ、１０６ｈ、および１０６ｊはルータを備える。ＡＴ１０６ｂ〜１０６ｇ、１０６ｉ、１０６ｋ、および１０６ｌは携帯電話を備える。ただし、ＡＴ１０６ａ〜１０６ｌの各々は、任意の好適な通信装置を備えることができる。
【００２１】
図２は、２つ以上の通信ネットワークの例示的な相互動作を示す。ＡＴ２２０が、ＡＴ２２１などの別のＡＴから情報を送信し、そこから情報を受信することが望ましいことがある。図２は、ＡＴ２２０がＡＴ２２１と通信することができる方法を示している。図２に示すように、マクロノード２０５は、マクロエリア２３０内のアクセス端末に通信カバレッジを与えることができる。たとえば、ＡＴ２２０はメッセージを生成し、それをマクロノード２０５に送信することができる。そのメッセージは、様々なタイプの通信（たとえば、ボイス、データ、マルチメディアサービスなど）に関係する情報を備えることができる。ＡＴ２２０はワイヤレスリンクを介してマクロノード２０５と通信することができる。
【００２２】
また、マクロノード２０５は、通信ネットワーク２５０中で動作するモバイル交換センタ（ＭＳＣ）２５２などのＭＳＣと通信することができる。たとえば、マクロノード２０５は、ＡＴ２２０から受信したメッセージをＭＳＣ２５２に送信することができる。一般に、ＭＳＣ２５２は、最初に、マクロノード２０５を介してＡＴ２２０から受信したメッセージを受信することによってＡＴ２２０とＡＴ２２１との間の通信を可能にすることができる。ＭＳＣ２５２は、フェムトノードを介して最終的にＡＴ２２１に送信するために、そのメッセージをマクロフェムトインターネットワーキング機能（ＭＦＩＦ）２５４などのＭＦＩＦに送信することができる。ＭＦＩＦは、フェムトコンバージェンスサーバ（ＦＣＳ）、ＭＳＣ／ＭＳＣｅ、またはフェムトスイッチと呼ばれることもある。マクロノード２０５とＭＳＣ２５２はワイヤードリンクを介して通信することができる。たとえば、直接ワイヤードリンクは光ファイバまたはイーサネット（登録商標）リンクを備えることができる。マクロノード２０５とＭＳＣ２５２は、共同設置してもよく、異なるロケーションに展開してもよい。
【００２３】
また、ＭＳＣ２５２は、マクロフェムトインターネットワーキング機能（ＭＦＩＦ）２５４と通信することができる。一般に、ＭＦＩＦ２５４は、最初に、マクロノード２０５およびＭＳＣ２５２を介してＡＴ２２０からメッセージを受信することによってその２２０とＡＴ２２１との間の通信を可能にすることができる。次いで、ＭＦＩＦ２５４は、ＡＴ２２１に送信するために、そのメッセージをフェムトノードにルーティングすることができる。ＭＳＣ２５２とＭＦＩＦ２５４は、上述のように直接ワイヤードリンクを介して通信することができる。ＭＳＣ２５２とＭＦＩＦ２５４は、共同設置してもよく、異なるロケーションに展開してもよい。
【００２４】
また、ＭＦＩＦ２５４は、インターネット２４０（および／または別の適切なワイドエリアネットワーク）と通信することができる。一般に、インターネット２４０は、最初に、マクロノード２０５、ＭＳＣ２５２、およびＭＦＩＦ２５４を介してＡＴ２２０からメッセージを受信することによってＡＴ２２０とＡＴ２２１との間の通信を可能にすることができる。次いで、インターネット２４０は、ＡＴ２２１に送信するために、そのメッセージをフェムトノード２１２などのフェムトノードに送信することができる。ＭＦＩＦ２５４は、上述のように、ワイヤードまたはワイヤレスリンクを介してインターネット２４０と通信することができる。
【００２５】
また、インターネット２４０は、フェムトノード２１０、２１２などのフェムトノードと通信することができる。フェムトノード２１２は、フェムトエリア２１７内でＡＴ２２０への通信カバレッジを与えることによって、ＡＴ２２０とＡＴ２２１との間の通信を可能にすることができる。たとえば、フェムトノード２１２は、ＡＴ２２０において発生するメッセージを、マクロノード２０５、ＭＳＣ２５２、ＭＦＩＦ２５４、およびインターネット２４０を介して受信することができる。次いで、フェムトノード２１２はフェムトエリア２１７中のＡＴ２２１にそのメッセージを送信することができる。フェムトノード２１２はワイヤレスリンクを介してＡＴ２２１と通信することができる。
【００２６】
上述のように、マクロノード２０５、ＭＳＣ２５２、ＭＦＩＦ２５４、インターネット２４０、およびフェムトノード２１２は、ＡＴ２２０とＡＴ２２１との間に通信リンクを形成するように相互動作することができる。たとえば、ＡＴ２２０はメッセージを送信生成し、それをマクロノード２０５に送信することができる。次いで、マクロノード２０５は、そのメッセージをＭＳＣ２５２に送信することができる。その後、ＭＳＣ２５２は、そのメッセージをＭＦＩＦ２５４に送信することができる。次いで、ＭＦＩＦ２５４は、そのメッセージをインターネット２４０に送信することができる。次いで、インターネット２４０は、そのメッセージをフェムトノード２１２に送信することができる。次いで、フェムトノード２１２は、そのメッセージをＡＴ２２１に送信することができる。同様に、ＡＴ２２１からＡＴ２２０への逆の経路をたどることができる。
【００２７】
一実施形態では、フェムトノード２１０、２１２は、個人消費者によって展開され、家庭、アパート、オフィスビルなどの中に配置されることがある。フェムトノード２１０、２１２は、所定のセルラー伝送帯域を利用して、フェムトノード２１０、２１２の所定の範囲（たとえば、１００ｍ）内にあるＡＴと通信することができる。一実施形態では、フェムトノード２１０、２１２は、デジタル加入者回線（たとえば、非対称ＤＳＬ（ＡＤＳＬ）、高データレートＤＳＬ（ＨＤＳＬ）、超高速ＤＳＬ（ＶＤＳＬ）などを含むＤＳＬ）、インターネットプロトコル（ＩＰ）トラフィックを搬送するＴＶケーブル、電力線を介したブロードバンド（ＢＰＬ）接続、または他のリンクなど、インターネットプロトコル（ＩＰ）接続を通してインターネット２４０と通信することができる。別の実施形態では、フェムトノード２１０、２１２は直接リンクを介してＭＦＩＦ２５４と通信することができる。
【００２８】
上述のように、複数のフェムトノード２１０、２１２は、マクロエリア２３０内に展開されることがある。マクロエリア２３０中での複数のフェムトノード２１０、２１２の展開により、マクロノード２０５からフェムトノード２１０に呼をハンドオフするプロセスを改善することが望ましくなることがある。たとえば、ＡＴ２２２は、マクロノード２０５と通信することによって呼を開始することができる。しかしながら、ＡＴ２２２がその呼中に移動すると、マクロノード２０５がその呼をフェムトノード２１０にハンドオフすることが有利であることがある。一例では、フェムトノード２１０は、マクロノード２０５によって与えられるカバレッジが劣化し始める、マクロエリア２３０のエッジに配置されることがある。しかしながら、同じエリアにおいて、フェムトエリア２１５中のフェムトノード２１０によって与えられるカバレッジが強いことがある。したがって、マクロノード２０５がＡＴ２２２をフェムトノード２１０にハンドインすることが望ましいことがある。カバレッジの劣化を緩和することに加えて、他の理由で、マクロノード２０５がフェムトノード２１０にハンドインすることが望ましいことがある。たとえば、マクロノード２０５は、多数のＡＴに通信カバレッジを与えることができる。ＡＴをフェムトノードにハンドインすることによってＡＴ通信トラフィックの一部をマクロノード２０５からオフロードすることが、全体的なシステムパフォーマンスにとって有益であることがある。いずれの場合も、フェムトノード２１２および他のフェムトノードが存在することがあるので、マクロノード２０５からハンドインするプロセスでは、フェムトノード２１０、２１２のうちのどちらが、意図されたハンドインターゲットであるかを識別することが必要になることがある。マクロエリア２３０内で追加のフェムトノードを展開するとき、ハンドインプロセス中にフェムトノードを識別する方法を改善することが望ましいことがある。
【００２９】
一実施形態では、フェムトノード２１０および／またはマクロノード２０５はパイロット信号をブロードキャストすることができる。パイロット信号は、ＡＴ（たとえば、ＡＴ２２２）においてフェムトノード２１０および／またはマクロノード２０５から受信した信号の強度を判断するための既知の信号を備えることができる。実際の受信したパイロット信号は、信号品質を判断するために、ＡＴ２２２において基準信号と比較することができる。たとえば、基準信号は、実際の受信したパイロット信号を比較する際に使用する波形またはウェーブシーケンスとすることができる。フェムトノード２１０および／またはマクロノード２０５から受信した信号の強度は、Ｅcp／Ｉo比（パイロット信号エネルギー対干渉信号エネルギー比）または信号対雑音比を備えることができる。また、パイロット信号はオフセット擬似雑音（ＰＮ）ショートコードを備えることができる。オフセットＰＮショートコードは、ノードおよび／またはノードタイプ（たとえば、フェムトノード、マクロノード、ピコノード）を識別するコードまたは数字のシーケンスを備えることができる。オフセットＰＮショートコードは、ＰＮオフセットが適用されたＰＮショートコードを備えることができる。ＰＮオフセットは、ＰＮショートコードに適用される、本当のネットワーク同期時間からの遅延を示すことができる。一実施形態では、ノードのすべてが、同じＰＮショートコードを使用することがある。ただし、ノードによって、そのＰＮショートコードに異なるＰＮオフセットを適用することがある。したがって、ＰＮオフセットはオフセットＰＮショートコードに直接相関し、「ＰＮオフセット」および「オフセットＰＮショートコード」という用語は、本明細書では互換的に使用できる。一実施形態では、ＰＮオフセットは、パイロット信号を送信するノードのタイプ（たとえば、フェムトノード、マクロノード、ピコノード）を識別するために使用できる。たとえば、フェムトノードを識別するためにＰＮオフセットの特定のセットを予約することができる。しかしながら、使用できるＰＮオフセットの数が、マクロエリア２３０内のフェムトノードの数よりも少ないことがある。たとえば、フェムトノードが使用するための５１２個の一意のＰＮオフセットをとっておくことができる。しかしながら、５１２個を超えるフェムトノードがマクロエリア２３０内に展開されることがある。その結果、マクロエリア２３０内の複数のフェムトノードが、同じＰＮオフセットを使用することがある。
【００３０】
一例では、マクロノード２０５などのマクロノードと通信している、ＡＴ２２２などのＡＴは、フェムトノード２１０などのフェムトノードからパイロット信号を受信することができる。ＡＴ２２２は、パイロット信号からＰＮオフセットおよび信号強度を判断し、これらの値をマクロノード２０５に報告するように構成できる。受信信号強度およびＰＮオフセットに基づいて、マクロノード２０５は、フェムトノード２１０へのハンドインが行われるべきであることを判断することができる。たとえば、マクロノード２０５とＡＴ２２２との間の信号の強度、雑音レベル、信号対雑音比、最大データレート、スループット、誤り率、および他のハンドオフ基準により、ＡＴ２２２をフェムトノード２１０にハンドインすることが正当化されることを、マクロノード２０５は判断することができる。しかしながら、フェムトノード２１０によって使用されるＰＮオフセットは一意でないことがあるので、ＡＴ２２２からマクロノード２０５に送信された情報は、フェムトノード２１０を一意に識別するには不十分であることがある。
【００３１】
上記の例についてはＰＮオフセットに関して説明したが、そのような例は説明のために使用したものであり、限定的なものとして解釈すべきではない。本システムおよび方法は、ユニバーサル移動体通信システム（ＵＭＴＳ）およびロングターム・エボリューション（ＬＴＥ）などの他の通信規格に等しく適用可能である。たとえば、ＵＭＴＳシステムでは、フェムトノードによって使用されるスクランブリングコード（ＳＣ）が、フェムトノードを一意に識別するには不十分であることがある識別子として働くことがある。同様に、ＬＴＥシステムでは、フェムトノードによって使用される物理セル識別子が、フェムトノードを一意に識別するには不十分であることがある識別子として働くことがある。各場合において、フェムトノードを一意に識別するために追加情報が必要になることがある。
【００３２】
マクロノード２０５からフェムトノード２１０にハンドインすることを可能にするために、フェムトノード２１０のＰＮオフセット以外の情報を使用して、フェムトノード２１０を一意に識別することができる。一例では、フェムトノード２１０は、フェムトノードまたはアクセスポイント識別メッセージ（ＡＰＩＤＭ）を生成し送信することができる。ＡＰＩＤＭメッセージは、パイロット信号とは別々に、たとえば、異なるチャネルにおいて送信できる。フェムトノード２１０はＡＰＩＤＭメッセージ中にＭＳＣ識別子（ＭＳＣ  ＩＤ）を含めることができる。ＭＳＣ  ＩＤは、あるフェムトノードに関連付けられた複数のＭＦＩＦのうちの１つを示すために、そのフェムトノードに割り当てることができる。たとえば、ＭＦＩＦ２５４を識別するＭＳＣ  ＩＤがフェムトノード２１０に割り当てられているとすれば、そのＭＳＣ  ＩＤは、ＭＦＩＦ２５４がフェムトノード２１０に関連付けられていることを判断するためにＭＳＣ２５２によって使用される値を備えることができる。ＭＳＣ２５２は、ＭＳＣ  ＩＤ値を特定のＭＦＩＦに関係付けるデータ構造、たとえば、リストまたはテーブルを維持することができる。したがって、ＭＳＣ２５２は、ＭＳＣ  ＩＤを受信したとき、そのＭＳＣ  ＩＤに関連付けられたＭＦＩＦに情報を送信すべきであることを判断することができる。また、ＡＰＩＤＭメッセージはセル識別子（セルＩＤ）を備えることができる。セルＩＤは、特定のＭＦＩＦに関連付けられた複数のフェムトノードの中から、あるフェムトノードを一意に識別するために、そのフェムトノードに割り当てることができる。たとえば、セルＩＤは、ＭＦＩＦ２５４に関連付けられたフェムトノード２１０と、フェムトノード２１２と、他のフェムトノード（図示せず）との間においてフェムトノード２１０を一意に識別するためにＭＦＩＦ２５４によって使用される値を備えることができる。ＭＦＩＦ２５４は、セルＩＤ値を特定のフェムトノードに関係付けるデータ構造、たとえば、リストまたはテーブルを維持することができる。したがって、ＭＦＩＦ２５４は、セルＩＤを受信したとき、そのセルＩＤに関連付けられたフェムトノードに情報を送信すべきであることを判断することができる。
【００３３】
以下で詳細に説明するように、ＭＳＣ  ＩＤとセルＩＤの両方を含むＡＰＩＤＭメッセージを使用すると、ハンドインターゲット、たとえば、フェムトノード２１０を識別するのに十分であることがある。たとえば、ＡＴ２２２またはマクロノード２０５は、マクロノード２０５からフェムトノード２１０へのハンドインが望ましいことを判断することができる。しかしながら、フェムトノード２１０は、フェムトノード２１２と同じＰＮオフセットを使用することがある。したがって、ＡＴ２２２は、そのＰＮオフセットをマクロノード２０５に供給することによってフェムトノード２１０をＡＴ２２２のターゲットとして識別することができないことがある。この例では、フェムトノード２１０は、ＭＳＣ  ＩＤおよびセルＩＤなどの識別情報をＡＰＩＤＭメッセージ中に含めるように構成できる。ＡＴ２２２は、このＡＰＩＤＭメッセージを受信し、ＭＳＣ  ＩＤおよびセルＩＤを抽出することができる。次いで、ＡＴ２２２はＭＳＣ  ＩＤおよびセルＩＤをマクロノード２０５に送信することができる。一実施形態では、ＡＴ２２２は、ＡＰＩＤＭを受信することに応答してＭＳＣ  ＩＤおよびセルＩＤをマクロノード２０５に送信するように構成できる。代替的に、ＡＴ２２２は、ＭＳＣ  ＩＤおよびセルＩＤを条件付きで送信するように構成できる。たとえば、上述のように、ＡＴ２２２は、ＡＰＩＤＭに加えてフェムトノード２１０からパイロット信号を受信することができる。ＡＴ２２２は、受信したパイロット信号の性質に基づいてＭＳＣ  ＩＤおよびセルＩＤをマクロノード２０５に送信するように構成できる。たとえば、ＡＴ２２２は、パイロット信号の信号強度が、あまりに低いか、またはさもなければハンドインが望ましくないことを示した場合、ＭＳＣ  ＩＤおよびセルＩＤを送信しないように構成できる。代替的に、ＡＴ２２２は、ＰＮオフセットにより、フェムトノード２１０が、ＡＴ２２２が通信することを許可されていないネットワークに属することが示された場合、ＭＳＣ  ＩＤおよびセルＩＤをマクロノード２０５に送信しないように構成できる。しかしながら、ＡＴ２２２は、ハンドオフが望ましく、許可されていることを判断した場合、ＭＳＣ  ＩＤおよびセルＩＤをマクロノード２０５に送信するように構成できる。別の実施形態では、ＡＴ２２２はフェムトノード２１０の検出の指示をマクロノード２０５に送信することができる。その検出指示に基づいて、マクロノード２０５は、フェムトノード２１０へのハンドインが望ましいことを判断することができる。次いで、マクロノード２０５は、ＡＴ２２２からフェムトノード２１０についての情報を要求することによって検出指示に応答することができる。次いで、ＡＴ２２２は、たとえば、ＭＳＣ  ＩＤおよびセルＩＤを含む識別情報をマクロノード２０５に送信することができる。マクロノード２０５は、ハンドインが望ましいことを判断し、ＭＳＣ  ＩＤおよびセルＩＤを受信すると、次いで、ＭＳＣ  ＩＤおよびセルＩＤをＭＳＣ２５２に送信することができる。ＭＳＣ２５２は、ＭＳＣ  ＩＤを利用して、セルＩＤをＭＦＩＦ２５４にパスすべきであることを判断することができる。次いで、ＭＳＣ２５２は、セルＩＤをＭＦ��Ｆ２５４に送信することができる。ＭＦＩＦ２５４は、セルＩＤを利用して、フェムトノード２１０を所望のハンドインのターゲットとして識別することができる。フェムトノード２１０がハンドインターゲットとして識別されると、ハンドインプロセスが進行することができる。たとえば、マクロノード２０５から発生するハンドイン要求を、ＭＳＣ２５２を介してＭＦＩＦ２５４にパスすることができる。ＭＦＩＦ２５４はハンドイン要求をフェムトノード２１０に送信することができる。フェムトノード２１０は、その要求を受け付けて、肯定応答をＭＦＩＦ２５４に送信することができる。ＭＦＩＦ２５４は、ＭＳＣ２５２を介して肯定応答をマクロノード２０５にフォワーディングすることができる。次いで、マクロノード２０５は、ＡＴ２２２にフェムトノード２１０にハンドインするように命令することができる。別の例では、マクロノード２０５は、ワイヤレスリンク（図示せず）またはインターネット２４０などのワイヤードリンクを介して、生成されたハンドオフ要求または他のハンドオフ命令をフェムトノード２１０に直接送信することができる。
【００３４】
上記の例についてはＭＳＣ  ＩＤおよびセルＩＤに関して説明したが、そのような例は説明のために使用したものであり、限定的なものとして解釈すべきではない。ＭＳＣ  ＩＤおよびセルＩＤを使用することは、既存のネットワークインフラストラクチャ構成要素、たとえば、ＡＴ、マクロノード、ＭＳＣ、およびＭＦＩＦとインターフェースするために有利であることがある。さらに、他のタイプの識別子を使用することもできる。これらの識別子は、アクセスポイント識別子、フェムト機器識別子、イーサネットメディアアクセス制御アドレス、セクタ識別子、基地局識別子、インターネットプロトコルアドレス、またはフェムトノード２１０を一意に識別するために使用できる他のタイプの識別子を含むことができる。
【００３５】
図３は、図２に示す例示的なフェムトノード２１０の機能ブロック図である。図２に関して上記で説明したように、フェムトノード２１０は、ＡＴ２２２にＡＰＩＤＭメッセージを供給することによって、マクロノード２０５からフェムトノード２１０へのハンドインを可能にすることができる。フェムトノード２１０は、ＡＴ２２２にＡＰＩＤＭメッセージなどのアウトバウンドワイヤレスメッセージを送信するように構成されたワイヤレスネットワークインターフェース３１０を備えることができる。また、ワイヤレスネットワークインターフェース３１０は、ＡＴ２２２からインバウンドワイヤレスメッセージを受信することができる。ワイヤレスネットワークインターフェース３１０はプロセッサ３２０に結合できる。プロセッサ３２０は、ワイヤレスネットワークインターフェース３１０を介してＡＴ２２２から来るかまたはＡＴ２２２に行くＡＰＩＤＭメッセージとインバウンドおよびアウトバウンドワイヤレスメッセージとを処理するように構成できる。プロセッサ３２０はまた、フェムトノード２１０の他の構成要素を制御するように構成できる。プロセッサ３２０はさらにワイヤードネットワークインターフェース３３０に結合できる。ワイヤードネットワークインターフェース３３０は、インターネット２４０にアウトバウンドワイヤードメッセージをパスし、インターネット２４０からインバウンドワイヤードメッセージを受信するように構成できる。ワイヤードネットワークインターフェース３３０は、処理のためにインバウンドワイヤードメッセージをプロセッサ３２０にパスすることができる。プロセッサ３２０は、ワイヤードアウトバウンドメッセージを処理し、それを送信のためにワイヤードネットワークインターフェース３１０にパスすることができる。
【００３６】
プロセッサ３２０は、さらに、１つまたは複数のバスを介してメモリ３４０に結合できる。プロセッサ３２０は、メモリ３４０から情報を読み取るか、またはメモリ３４０に情報を書き込むことができる。たとえば、メモリ３４０は、処理の前に、処理中に、または処理の後に、インバウンド、我々の（our）アウトバウンドメッセージを記憶するように構成できる。特に、メモリ３４０は、ＡＰＩＤＭメッセージを記憶するように構成できる。プロセッサ３２０はメッセージフォーマッタ３５０にも結合できる。メッセージフォーマッタ３５０は、マクロノード２０５からフェムトノード２１０へのハンドインを可能にするために使用されるＡＰＩＤＭメッセージを生成するように構成できる。上述のように、マクロノード２０５からフェムトノード２１０にＡＴ２２０をハンドインするプロセスにおいて、複数のフェムトノード２１０、２１２の存在はＡＰＩＤＭメッセージに依拠することがある。図２に関して上記で説明したように、ＡＰＩＤＭメッセージはＭＳＣ  ＩＤおよびセルＩＤを備えることができる。メッセージフォーマッタ３５０は、生成されたＡＰＩＤＭメッセージがワイヤレスネットワークインターフェース３１０を介してＡＴ２２２に送信される前に、任意の追加の処理のために、そのＡＰＩＤＭメッセージをプロセッサ３２０にパスすることができる。メッセージフォーマッタ３５０はまた、メッセージのフォーマット（message formatting）において使用する情報を記憶するかまたは取り出すために、メモリ３４０に直接結合できる。一実施形態では、処理され、フォーマットされたＡＰＩＤＭメッセージは、ワイヤレスネットワークインターフェース３１０によって送信するかまたは周期的にブロードキャストし、たとえば、ＡＴ２２２などのＡＴによって受信することができる。
【００３７】
ワイヤレスネットワークインターフェース３１０はアンテナとトランシーバとを備えることができる。そのトランシーバは、それぞれＡＴ２２２に行くかまたはＡＴ２２２から来るワイヤレスアウトバウンド／インバウンドメッセージを変調／復調するように構成できる。ワイヤレスアウトバウンド／インバウンドメッセージは、そのアンテナを介して送信／受信することができる。そのアンテナは、１つまたは複数のチャネルを介して、ＡＴ２２２に／からアウトバウンド／インバウンドワイヤレスメッセージを送信および／または受信するように構成できる。アウトバウンド／インバウンドメッセージは、ボイスおよび／またはデータのみの情報（本明細書では「データ」と総称する）を備えることができる。ワイヤレスネットワークインターフェース３１０は、受信したデータを復調することができる。ワイヤレスネットワークインターフェース３１０は、ワイヤレスネットワークインターフェース３１０を介してフェムトノード２１０から送信すべきデータを変調することができる。プロセッサ３２０は、送信すべきデータを与えることができる。
【００３８】
ワイヤードネットワークインターフェース３３０はモデムを備えることができる。そのモデムは、インターネット２４０に行くかまたはインターネット２４０から来るアウトバウンド／インバウンドワイヤードメッセージを変調／復調するように構成できる。ワイヤードネットワークインターフェース３３０は、受信したデータを復調することができる。復調されたデータはプロセッサ３２０に送信できる。ワイヤードネットワークインターフェース３３０は、ワイヤードネットワークインターフェース３３０を介してフェムトノード２１０から送信すべきデータを変調することができる。プロセッサ３２０は、送信すべきデータを与えることができる。
【００３９】
メモリ３４０は、様々なレベルが様々な容量およびアクセス速度を有するマルチレベル階層キャッシュを含む、プロセッサキャッシュを備えることができる。メモリ３４０はまた、ランダムアクセスメモリ（ＲＡＭ）、他の揮発性記憶装置、または不揮発性記憶装置を備えることができる。記憶装置は、ハードドライブ、コンパクトディスク（ＣＤ）またはデジタルビデオディスク（ＤＶＤ）などの光ディスク、フラッシュメモリ、フロッピー（登録商標）ディスク、磁気テープ、およびＺｉｐドライブを含むことができる。
【００４０】
別個に説明したが、フェムトノード２１０に関して説明した機能ブロックは別個の構造要素である必要がないことを諒解されたい。たとえば、プロセッサ３２０およびメモリ３４０を単一のチップにおいて実施することができる。プロセッサ３２０は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【００４１】
プロセッサ３２０およびメッセージフォーマッタ３５０など、フェムトノード２１０に関して説明した機能ブロックのうちの１つまたは複数および／または機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、個別ゲートまたはトランジスタロジック、個別ハードウェア構成要素、あるいは本明細書で説明する機能を実行するように設計されたそれらの任意の好適な組合せとして実施できる。フェムトノード２１０に関して説明した機能ブロックのうちの１つまたは複数および／または機能ブロックの１つまたは複数の組合せは、コンピュータ装置の組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【００４２】
図４は、図２に示す例示的なアクセス端末２２２の機能ブロック図である。上記で説明したように、ＡＴ２２２は携帯電話とすることができる。ＡＴ２２２は、フェムトノード２１０からＡＩＰＤＭメッセージを受信し、ＡＰＩＤＭメッセージ中の識別情報をマクロノード２０５にパスすることによって、マクロノード２０５からフェムトノード２１０へのハンドインを可能にするために使用できる。
【００４３】
ＡＴ２２２は、情報を、記憶、送信のために、および／またはＡＴ２２２の他の構成要素の制御のために、処理するように構成されたプロセッサ４０５を備えることができる。プロセッサ４０５はさらにメモリ４１０に結合できる。そのプロセッサは、メモリ４１０から情報を読み取るか、またはメモリ４１０に情報を書き込むことができる。メモリ４１０は、処理の前に、処理中に、または処理の後に、メッセージを記憶するように構成できる。特に、メモリ４１０は、ＡＰＩＤＭメッセージおよび付随する識別情報を記憶するように構成できる。プロセッサ４０５はワイヤレスネットワークインターフェース４１５にも結合できる。ワイヤレスネットワークインターフェース４１５は、フェムトノード２１０またはマクロノード２０５からインバウンドワイヤレスメッセージを受信し、そこにアウトバウンドワイヤレスメッセージを送信するように構成できる。インバウンドワイヤレスメッセージは、処理のためにプロセッサ４０５にパスすることができる。プロセッサ４０５は、アウトバウンドワイヤレスメッセージを処理し、送信のためにアウトバウンドワイヤレスメッセージをワイヤレスネットワークインターフェース４１５にパスすることができる。
【００４４】
プロセッサ４０５はメッセージインタープリタ４２０にも結合できる。フェムトノード２１０からワイヤレスネットワークインターフェース４１５において受信したインバウンドワイヤレスメッセージは、プロセッサ４０５にパスし、また、追加の処理のために、プロセッサ４０５によってメッセージインタープリタ４２０にパスすることができる。たとえば、メッセージインタープリタ４２０は、上述のようにＡＴ２２２をハンドインターゲットとして識別する際に使用するためにＡＰＩＤＭメッセージからＭＳＣ  ＩＤおよびセルＩＤを抽出するように構成できる。メッセージインタープリタ４２０は、追加の処理のために、ＭＳＣ  ＩＤ値およびセルＩＤ値ならびに他の情報をプロセッサ４０５にパスすることができる。メッセージインタープリタ４２０はまた、マクロノード２０５から受信した要求メッセージ中の情報を解釈することができる。たとえば、上述のように、マクロノード２０５は、フェムトノード２１０に関する追加情報を要求する要求メッセージをＡＴ２２２に送信することができる。特に、マクロノード２０５はＭＳＣ  ＩＤおよびセルＩＤを要求することができる。メッセージインタープリタ４２０は、この要求メッセージを処理し、その要求メッセージに応答するための情報をプロセッサ４０５に供給することができる。メッセージインタープリタ４２０はまた、メッセージ解釈において使用する情報を記憶するかまたは取り出すために、メモリ４１０に結合できる。
【００４５】
プロセッサ４０５はメッセージフォーマッタ４２５にも結合できる。メッセージフォーマッタ４２５は、ワイヤレスネットワークインターフェース４１５によって送信すべきアウトバウンドワイヤレスメッセージを生成するかまたはフォーマットすることができる。たとえば、メッセージフォーマッタ４２５は、フェムトノード２１０に関連付けられたＭＳＣ  ＩＤおよびセルＩＤをマクロノード２０５へのアウトバウンドワイヤレスメッセージ中に含めるように構成できる。上述のように、メッセージフォーマッタ４２５は、フェムトノード２１０からＡＰＩＤＭメッセージを受信することに応答してＭＳＣ  ＩＤおよびセルＩＤをアウトバウンドワイヤレスメッセージ中に含めるように構成できる。代替的に、メッセージフォーマッタ４２５は、マクロノード２０５から要求メッセージを受信することに応答してＭＳＣ  ＩＤおよびセルＩＤをアウトバウンドワイヤレスメッセージ中に含めるように構成できる。いずれの場合も、ワイヤレスアウトバウンドメッセージは、ワイヤレスネットワークインターフェース４１５によってマクロノード２０５に送信するために、メッセージフォーマッタ４２５によってプロセッサ４０５にパスすることができる。次いで、マクロノード２０５は、上述のように、ＭＳＣ  ＩＤおよびセルＩＤを含む、アウトバウンドワイヤレスメッセージ中の情報を使用して、ハンドインターゲットの識別を可能にすることができる。メッセージフォーマッタ４２５は、メッセージフォーマットにおいて使用する情報を記憶するかまたは取り出すために、メモリ４１０に直接結合できる。
【００４６】
ワイヤレスネットワークインターフェース４１５はアンテナとトランシーバとを備えることができる。そのトランシーバは、フェムトノード２１０およびマクロノード２０５に行くかまたはそこから来るアウトバウンド／インバウンドワイヤレスメッセージを変調／復調するように構成できる。アウトバウンド／インバウンドワイヤレスメッセージは、そのアンテナを介して送信／受信することができる。そのアンテナは、１つまたは複数のチャネルを介してフェムトノード２１０およびマクロノード２０５と通信するように構成できる。アウトバウンド／インバウンドワイヤレスメッセージは、ボイスおよび／またはデータのみの情報（本明細書では「データ」と総称する）を備えることができる。ワイヤレスネットワークインターフェース４１５は、受信したデータを復調することができる。ワイヤレスネットワークインターフェース４１５は、ワイヤレスネットワークインターフェース４１５を介してＡＴ２２２から送信すべきデータを変調することができる。プロセッサ４０５は、送信すべきデータを与えることができる。
【００４７】
メモリ４１０は、様々なレベルが様々な容量およびアクセス速度を有するマルチレベル階層キャッシュを含む、プロセッサキャッシュを備えることができる。メモリ４１０はまた、ランダムアクセスメモリ（ＲＡＭ）、他の揮発性記憶装置、または不揮発性記憶装置を備えることができる。記憶装置は、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【００４８】
別個に説明したが、アクセス端末２２２に関して説明した機能ブロックは別個の構造要素である必要がないことを諒解されたい。たとえば、プロセッサ４０５およびメモリ４１０を単一のチップにおいて実施することができる。プロセッサ４０５は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【００４９】
プロセッサ４１０、メッセージインタープリタ４２０、およびメッセージフォーマッタ４２５など、ＡＴ２２２に関して説明した機能ブロックのうちの１つまたは複数および／または機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、個別ゲートまたはトランジスタロジック、個別ハードウェア構成要素、あるいは本明細書で説明する機能を実行するように設計されたそれらの任意の好適な組合せとして実施できる。ＡＴ２２２に関して説明した機能ブロックのうちの１つまたは複数および／または機能ブロックの１つまたは複数の組合せは、コンピュータ装置の組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【００５０】
図５は、図２に示す例示的なマクロノード２０５の機能ブロック図である。図２に関して上記で説明したように、マクロノード２０５は基地局とすることができる。マクロノード２０５はまた、ＡＴ２２２から識別情報を受信し、その識別情報をＭＳＣ２５２に送信することによって、マクロノード２０５からフェムトノード２１０へのハンドインを可能にすることができる。マクロノード２０５は、ＡＴ２２２からインバウンドワイヤレスメッセージを受信し、ＡＴ２２２にアウトバウンドワイヤレスメッセージを送信するように構成されたワイヤレスネットワークインターフェース５１０を備えることができる。ワイヤレスネットワークインターフェース５１０はプロセッサ５２０に結合できる。プロセッサ５２０は、ワイヤレスネットワークインターフェース５１０を介してＡＴ２２２から来るかまたはＡＴ２２２に行くインバウンドおよびアウトバウンドワイヤレスメッセージを処理するように構成できる。プロセッサ５２０はまた、マクロノード２０５の他の構成要素を制御するように構成できる。プロセッサ５２０はさらにワイヤードネットワークインターフェース５３０に結合できる。ワイヤードネットワークインターフェース５３０は、ＭＳＣ２５２からインバウンドワイヤードメッセージを受信し、ＭＳＣ２５２にアウトバウンドワイヤードメッセージを送信するように構成できる。ワイヤードネットワークインターフェース５３０は、インバウンドワイヤードメッセージを受信し、処理のためにインバウンドワイヤードメッセージをプロセッサ５２０にパスすることができる。プロセッサ５２０は、アウトバウンドワイヤードメッセージを処理し、ＭＳＣ２５２に送信するためにアウトバウンドワイヤードメッセージをワイヤードネットワークインターフェース５３０にパスすることができる。
【００５１】
プロセッサ５２０は、さらに、１つまたは複数のバスを介してメモリ５４０に結合できる。プロセッサ５２０は、メモリ５４０から情報を読み取るか、またはメモリ５４０に情報を書き込むことができる。メモリ５４０は、インバウンドまたはアウトバウンドの、ワイヤードまたはワイヤレスメッセージを処理する際に使用する情報を記憶するように構成できる。メモリ５４０はまた、ＭＳＣ  ＩＤおよびセルＩＤなどの識別情報を記憶するように構成できる。プロセッサ５２０はメッセージインタープリタ５４５にも結合できる。そのプロセッサは、処理のために、インバウンドワイヤードおよびワイヤレスメッセージをメッセージインタープリタ５４５にパスすることができる。メッセージインタープリタ５４５は、ワイヤレスネットワークインターフェース５１０において受信したインバウンドワイヤレスメッセージから情報を抽出するように構成できる。たとえば、ＡＴ２２２から受信したインバウンドワイヤレスメッセージは、上述のように、ＭＳＣ  ＩＤおよびセルＩＤなどの識別情報を備えることができる。メッセージインタープリタ５４５は、ＡＴ２２２によって供給されたインバウンドワイヤレスメッセージからＭＳＣ  ＩＤ値およびセルＩＤ値を抽出することができる。メッセージインタープリタ５４５は、追加の処理のために、この識別情報をプロセッサ５２０にパスすることができる。別の例では、ＡＴ２２０からのインバウンドワイヤレスメッセージは、ＡＴ２２０がフェムトノード２１０を検出したという指示を備えることができる。メッセージインタープリタ５４５は、インバウンドワイヤレスメッセージを処理し、インバウンドワイヤレスメッセージに応答して追加情報を要求するための情報をプロセッサ５２０に供給するように、構成できる。この追加情報は、フェムトノード２１０のＭＳＣ  ＩＤおよびセルＩＤを備えることができる。メッセージインタープリタ５４５はまた、メッセージ解釈において使用する情報を記憶するかまたは取り出すために、メモリ５４０に直接結合できる。
【００５２】
プロセッサ５２０はメッセージフォーマッタ５５０にも結合できる。メッセージフォーマッタ５５０は、アウトバウンドワイヤードまたはワイヤレスメッセージを生成するように構成できる。メッセージフォーマッタ５５０は、生成されたアウトバウンドワイヤードまたはワイヤレスメッセージをプロセッサ５２０にパスするようにさらに構成できる。プロセッサ５２０は、送信のためにアウトバウンドワイヤードまたはワイヤレスメッセージをワイヤードネットワークインターフェース５３０またはワイヤレスネットワークインターフェース５１０にパスすることができる。ワイヤードネットワークインターフェース５３０は、アウトバウンドワイヤードメッセージをＭＳＣ２５２に送信することができる。上述のように、アウトバウンドワイヤードメッセージは、フェムトノード２１０のためのＭＳＣ  ＩＤおよびセルＩＤを備えることができる。メッセージフォーマッタ５５０はアウトバウンドワイヤレスメッセージをプロセッサ５２０にパスすることができる。プロセッサ５２０は、ＡＴ２２２に送信するためにアウトバウンドワイヤレスメッセージをワイヤレスネットワークインターフェース５１０にパスすることができる。説明したように、アウトバウンドワイヤレスメッセージは、フェムトノード２１０の識別情報の要求を備えることができる。メッセージフォーマッタ５５０はまた、メッセージフォーマットにおいて使用する情報を記憶するかまたは取り出すために、メモリ５４０に直接結合できる。
【００５３】
ワイヤレスネットワークインターフェース５１０はアンテナとトランシーバとを備えることができる。そのトランシーバは、ＡＴ２２２に行くかまたはＡＴ２２２から来るアウトバウンド／インバウンドワイヤレスメッセージを変調／復調するように構成できる。インバウンド／アウトバウンドワイヤレスメッセージは、そのアンテナを介して送信／受信することができる。そのアンテナは、１つまたは複数のチャネルを介して、マクロノード２０５からアウトバウンド／インバウンドワイヤレスメッセージを送信および／または受信するように構成できる。アウトバウンド／インバウンドワイヤレスメッセージは、ボイスおよび／またはデータのみの情報（本明細書では「データ」と総称する）を備えることができる。ワイヤレスネットワークインターフェース５１０は、受信したデータを復調することができる。ワイヤレスネットワークインターフェース５１０は、ワイヤレスネットワークインターフェース５１０を介してマクロノード２０５から送信すべきデータを変調することができる。プロセッサ５２０は、送信すべきデータを与えることができる。
【００５４】
ワイヤードネットワークインターフェース５３０はモデムを備えることができる。そのモデムは、ＭＳＣ２５２に行くかまたはＭＳＣ２５２から来るアウトバウンド／インバウンドワイヤードメッセージを変調／復調するように構成できる。ワイヤードネットワークインターフェース５３０は、当技術分野で知られている方法を使用して１つまたは複数のワイヤード規格に従って、受信したデータを復調することができる。復調されたデータはプロセッサ５２０に送信できる。ワイヤードネットワークインターフェース５３０は、当技術分野で知られている方法を使用して１つまたは複数のワイヤード規格に従って、ワイヤードネットワークインターフェース５３０を介してマクロノード５１０から送信すべきデータを変調することができる。プロセッサ５２０は、送信すべきデータを与えることができる。
【００５５】
メモリ５４０は、様々なレベルが様々な容量およびアクセス速度を有するマルチレベル階層キャッシュを含む、プロセッサキャッシュを備えることができる。メモリ５４０はまた、ランダムアクセスメモリ（ＲＡＭ）、他の揮発性記憶装置、または不揮発性記憶装置を備えることができる。記憶装置は、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【００５６】
別個に説明したが、マクロノード２０５に関して説明した機能ブロックは別個の構造要素である必要がないことを諒解されたい。たとえば、プロセッサ５２０およびメモリ５４０を単一のチップにおいて実施することができる。プロセッサ５２０は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【００５７】
プロセッサ５２０、メッセージインタープリタ５４５、メッセージフォーマッタ５５０など、マクロノード２０５に関して説明した機能ブロックのうちの１つまたは複数および／または機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、個別ゲートまたはトランジスタロジック、個別ハードウェア構成要素、あるいは本明細書で説明する機能を実行するように設計されたそれらの任意の好適な組合せとして実施できる。マクロノード２０５に関して説明した機能ブロックのうちの１つまたは複数および／または機能ブロックの１つまたは複数の組合せは、コンピュータ装置の組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【００５８】
図６は、図２に示す例示的なモバイル交換センタ（ＭＳＣ）２５２の機能ブロック図である。図２に関して上記で説明したように、ＭＳＣ２５２は、マクロノード２０５とＭＦＩＦ２５４との間のメッセージをルーティングするように構成されたルータとして動作することができる。さらに、ＭＳＣ２５２は、ＭＳＣ  ＩＤに基づいて、フェムトノード２１０に関連付けられたＭＦＩＦを識別することによって、フェムトノード２１０などのハンドインターゲットを識別するのを助けるように構成できる。ＭＳＣ２５２は、マクロノード２０５またはＭＦＩＦ２５４からインバウンドメッセージを受信し、そこにアウトバウンドメッセージを送信するように構成されたネットワークインターフェース６１０を備えることができる。ネットワークインターフェース６１０はプロセッサ６２０に結合できる。プロセッサ６２０は、ネットワークインターフェース６１０によって受信されるインバウンドメッセージ、およびネットワークインターフェース６１０によって送信されるアウトバウンドメッセージを処理するように構成できる。プロセッサ６２０は、さらに、１つまたは複数のバスを介してメモリ６２５に結合できる。プロセッサ６２０は、メモリ６２５から情報を読み取るか、またはメモリ６２５に情報を書き込むことができる。メモリ６２５は、処理の前に、処理中に、または処理の後に、インバウンドおよびアウトバウンドメッセージを記憶するように構成できる。特に、メモリ６２５は、上述のＭＳＣ  ＩＤおよびセルＩＤを記憶するように構成できる。
【００５９】
プロセッサ６２０はさらにルーティングユニット６３０に結合できる。プロセッサ６２０は、追加の処理のためにインバウンドメッセージをルーティングユニット６３０にパスすることができる。ルーティングユニット６３０は、インバウンドメッセージを分析して、インバウンドメッセージの内容に少なくとも部分的に基づいて１つまたは複数の宛先を判断することができる。たとえば、インバウンドメッセージは、フェムトノード２１０のＭＳＣ  ＩＤおよびセルＩＤを含むことができる。ルーティングユニット６３０は、ＭＳＣ  ＩＤを分析し、フェムトノード２１０がＭＦＩＦ２５４に関連付けられていることを判断することができる。ルーティングユニット６３０は、ルーティング決定を行うことを可能にするために、メモリ６２５に直接結合できる。たとえば、メモリ６２５は、ＭＳＣ  ＩＤ値をＭＦＩＦのためのアドレスまたは他の識別子に関連付ける情報を含んでいるデータ構造、たとえば、リストまたはテーブルを記憶することができる。ルーティングユニット６３０は、ＭＳＣ  ＩＤを使用して、メモリ６２５中で、あるＭＦＩＦのための識別子を検索するように構成できる。ルーティングユニット６３０はまた、セルＩＤおよび他の情報を送信すべき先のＭＦＩＦ２５４のためのアドレスまたは他の識別子などの情報をプロセッサ６２０に供給するように構成できる。プロセッサ６２０は、ルーティングユニット６３０からのこの情報を使用してアウトバウンドメッセージを生成するように構成できる。プロセッサ６２０は、ＭＦＩＦ２５４に送信するためにアウトバウンドメッセージをネットワークインターフェース６１０にパスすることができる。
【００６０】
ネットワークインターフェース６１０はモデムを備えることができる。そのモデムは、アウトバウンド／インバウンドメッセージを変調／復調するように構成できる。ネットワークインターフェース６１０は、それに応じて受信したデータを復調することができる。復調されたデータはプロセッサ６２０に送信できる。ネットワークインターフェース６１０は、ＭＳＣ２５２から送信すべきデータを変調することができる。送信すべきデータはプロセッサ６２０から受信できる。
【００６１】
メモリ６２５は、様々なレベルが様々な容量およびアクセス速度を有するマルチレベル階層キャッシュを含む、プロセッサキャッシュを備えることができる。メモリ６２５はまた、ランダムアクセスメモリ（ＲＡＭ）、他の揮発性記憶装置、または不揮発性記憶装置を備えることができる。記憶装置は、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【００６２】
別個に説明したが、ＭＳＣ２５２に関して説明した機能ブロックは別個の構造要素である必要がないことを諒解されたい。たとえば、プロセッサ６２０およびメモリ６２５を単一のチップにおいて実施することができる。プロセッサ６２０は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【００６３】
プロセッサ６２０およびルーティングユニット６３０など、ＭＳＣ２５２に関して説明した機能ブロックのうちの１つまたは複数および／または機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、個別ゲートまたはトランジスタロジック、個別ハードウェア構成要素、あるいは本明細書で説明する機能を実行するように設計されたそれらの任意の好適な組合せとして実施できる。ＭＣＳ２５２に関して説明した機能ブロックのうちの１つまたは複数および／または機能ブロックの１つまたは複数の組合せは、コンピュータ装置の組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【００６４】
図７は、図２に示す例示的なマクロフェムトインターネットワーキング機能の機能ブロック図である。図２に関して上記で説明したように、ＭＦＩＦ２５４は、インターネット２４０を介してＭＳＣ２５２とフェムトノード２１０との間のメッセージをルーティングするように構成されたフェムトスイッチとして動作する。さらに、ＭＦＩＦ２５４は、セルＩＤに基づいてフェムトノード２１０などのハンドインターゲットを識別するのを助けるように構成できる。ＭＦＩＦ２５４は、インターネット２４０を介してＭＦＩＦ２５４またはフェムトノード２１０からインバウンドメッセージを受信し、そこにアウトバウンドメッセージを送信するように構成されたネットワークインターフェース７１０を備えることができる。ネットワークインターフェース７１０はプロセッサ７２０に結合できる。プロセッサ７２０は、インバウンドおよびアウトバウンドメッセージを処理するように構成できる。プロセッサ７２０は、さらに、１つまたは複数のバスを介してメモリ７２５に結合できる。プロセッサ７２０は、メモリ７２５から情報を読み取るか、またはメモリ７２５に情報を書き込むことができる。メモリ７２５は、処理の前に、処理中に、または処理の後に、インバウンドおよびアウトバウンドメッセージを記憶するように構成できる。特に、メモリ７２５は、上述のセルＩＤを記憶するように構成できる。
【００６５】
プロセッサ７２０はさらにルーティングユニット７３０に結合できる。プロセッサ７２０は、追加の処理のためにインバウンドメッセージをルーティングユニット７３０にパスすることができる。ルーティングユニット７３０は、インバウンドメッセージを分析して、インバウンドメッセージの内容に少なくとも部分的に基づいて１つまたは複数の宛先を判断することができる。たとえば、インバウンドメッセージはセルＩＤを備えることができる。ルーティングユニット７３０は、セルＩＤを分析し、フェムトノードがそのセルＩＤに関連付けられていることを判断することができる。ルーティングユニット７３０は、ルーティング決定を行うことを可能にするために、メモリ７２５に直接結合できる。たとえば、メモリ７２５は、セルＩＤ値をフェムトノードのためのアドレスまたは他の識別子に関連付ける情報を含んでいるデータ構造、たとえば、リストまたはテーブルを記憶することができる。ルーティングユニット７３０は、セルＩＤを使用して、メモリ７２５中で、あるフェムトノードのための識別子を検索するように構成できる。ルーティングユニット７３０は、ハンドインターゲットであるフェムトノードのためのアドレスまたは他の識別子などの情報をプロセッサ７２０に供給するように構成できる。プロセッサ７２０は、ルーティングユニット７３０からのこの情報を使用してアウトバウンドメッセージを生成するように構成できる。プロセッサ７２０は、インターネット２４０またはＭＳＣ２５２に送信するためにアウトバウンドメッセージをネットワークインターフェース７１０にパスすることができる。
【００６６】
ネットワークインターフェース７１０はモデムを備えることができる。そのモデムは、ＭＦＩＦ２５４に行くかまたはＭＦＩＦ２５４から来るアウトバウンド／インバウンドメッセージを変調／復調するように構成できる。ネットワークインターフェース７１０は、受信したデータを復調することができる。復調されたデータはプロセッサ７２０に送信できる。ネットワークインターフェース７１０は、ＭＳＣ２５２から送信すべきデータを変調することができる。送信すべきデータはプロセッサ７２０から受信できる。
【００６７】
メモリ７２５は、様々なレベルが様々な容量およびアクセス速度を有するマルチレベル階層キャッシュを含む、プロセッサキャッシュを備えることができる。メモリ７２５はまた、ランダムアクセスメモリ（ＲＡＭ）、他の揮発性記憶装置、または不揮発性記憶装置を備えることができる。記憶装置は、ハードドライブ、コンパクトディスク（ＣＤ）またはデジタルビデオディスク（ＤＶＤ）などの光ディスク、フラッシュメモリ、フロッピーディスク、磁気テープ、およびＺｉｐドライブを含むことができる。
【００６８】
別個に説明したが、ＭＦＩＦ２５４に関して説明した機能ブロックは別個の構造要素である必要がないことを諒解されたい。たとえば、プロセッサ７２０およびメモリ７２５を単一のチップにおいて実施することができる。プロセッサ７２０は、追加、または代替として、プロセッサレジスタなどのメモリを含むことができる。同様に、機能ブロックのうちの１つまたは複数、または様々なブロックの機能の部分を、単一のチップにおいて実施することができる。代替的に、特定のブロックの機能を２つ以上のチップ上に実装することができる。
【００６９】
プロセッサ７２０およびルーティングユニット７３０など、ＭＦＩＦ２５４に関して説明した機能ブロックのうちの１つまたは複数および／または機能ブロックの１つまたは複数の組合せは、汎用プロセッサ、デジタル信号プロセッサ（ＤＳＰ）、特定用途向け集積回路（ＡＳＩＣ）、フィールドプログラマブルゲートアレイ（ＦＰＧＡ）、または他のプログラマブル論理装置、個別ゲートまたはトランジスタロジック、個別ハードウェア構成要素、あるいは本明細書で説明する機能を実行するように設計されたそれらの任意の好適な組合せとして実施できる。ＭＦＩＦ２５４に関して説明した機能ブロックのうちの１つまたは複数および／または機能ブロックの１つまたは複数の組合せは、コンピュータ装置組合せ、たとえば、ＤＳＰとマイクロプロセッサとの組合せ、複数のマイクロプロセッサ、ＤＳＰ通信と連携する１つまたは複数のマイクロプロセッサ、あるいは任意の他のそのような構成として実装することもできる。
【００７０】
図８に、図２に示すフェムトノード２１０が使用する例示的なアクセスポイント識別メッセージ（ＡＰＩＤＭ）８００を示す。図２に関して上記で説明したように、フェムトノード２１０は、ハンドインターゲットの識別を可能にするためのＭＳＣ  ＩＤおよびセルＩＤを含むＡＰＩＤＭメッセージ８００を生成するように構成できる。ＡＰＩＤＭメッセージ８００は関連付けタイプフィールド８１０を備えることができる。関連付けタイプフィールド８１０は３ビットを備える。関連付けタイプフィールド８１０は、フェムトノード２１０がＡＴ２２２などのＡＴと有することができる関係のタイプを示すために使用できる。たとえば、関連付けタイプフィールド８１０の値は、ＡＴ２２２がフェムトノード２１０と自由に通信することが可能であることを示すことができる。代替の値は、ＡＴ２２２がシグナリング情報を自由に受信するが、他のサービスを受信することはできないことを示すことができる。別の値は、フェムトノード２１０と通信することを明示的に許可されたＡＴのみがサービスを受信することができることを示すことができる。他の関連付けタイプのために、関連付けタイプフィールド８１０の他の値を使用することができる。
【００７１】
ＡＰＩＤＭメッセージ８００は複数の識別子フィールドをさらに備えることができる。たとえば、ＡＰＩＤＭメッセージ８００は、１５ビットを備えるシステム識別情報（ＳＩＤ）フィールド８２０と、１６ビットを備えるネットワーク識別情報（ＮＩＤ）フィールド８３０と、可変ビット数を備えるフェムトノードまたはアクセスポイント識別情報（ＡＰ＿ＩＤ）フィールド８５０とを備えることができる。一実施形態では、ＡＰ＿ＩＤフィールド８５０の長さを、別個のフィールドにおいてＡＰＩＤＭメッセージ８００中に含めることができる。たとえば、ＡＰ＿ＩＤの長さをＡＰ＿ＩＤ＿ＬＥＮフィールド８４０において符号化することができる。ＳＩＤフィールド８２０、ＮＩＤフィールド８３０、およびＡＰ＿ＩＤフィールド８５０をひとまとめにして考えると、特定のフェムトノードのためのグローバル一意識別子を定義することができる。ＡＴ２２２は、識別子フィールド８２０、８３０、８５０のうちの１つまたは複数を使用して、フェムトノード２１０と通信しようと試みるべきか否かを判断するように構成できる。たとえば、上述のように、ＡＴ２２２は、通信すべきフェムトノードのホワイトリスト、または回避すべきフェムトノードのブラックリストを維持することができる。１つまたは複数の識別子をそれらのリストと比較することによって、ＡＴ２２２は、ＡＴ２２２にサービスを求めるべきか否かを迅速に判断することができる。ＡＰＩＤＭメッセージ８００はＡＰ＿ＩＤ＿ＭＡＳＫフィールド８６０をさらに備えることができる。一実施形態では、ＡＰ＿ＩＤ＿ＭＡＳＫフィールド８６０は８ビットを備えることができる。ＡＰ＿ＩＤ＿ＭＡＳＫフィールド８６０は、単一の所有者または組織に関連付けられた複数のフェムトノードを識別するためのマスクとして使用できる。
【００７２】
ＡＰＩＤＭメッセージはＭＳＣ＿ＩＤフィールド８７０をさらに備えることができる。一実施形態では、ＭＳＣ＿ＩＤフィールドは２４ビットを備えることができる。上述のように、ＭＳＣ＿ＩＤフィールド８７０は、ハンドインターゲットの識別を可能にするために使用されるＭＳＣ  ＩＤ値を含むことができる。ＭＳＣ  ＩＤ値は、フェムトノード２１０に関連付けられたＭＦＩＦ２５４を識別するためにＭＳＣ２５２によって使用できる。ＭＳＣ  ＩＤを使用して、ＭＳＣ２５２は、ハンドインプロセスを可能にするための情報をＭＦＩＦ２５４にルーティングすることができる。
【００７３】
ＡＰＩＤＭメッセージはＣＥＬＬ＿ＩＤフィールド８８０をさらに備えることができる。一実施形態では、ＣＥＬＬ＿ＩＤフィールド８８０は１６ビットを備えることができる。上述のように、ＣＥＬＬ＿ＩＤフィールド８８０は、ハンドインターゲットの識別を可能にするために使用されるセルＩＤ値を含むことができる。セルＩＤ値は、フェムトノード２１０をハンドインターゲットとして識別するためにＭＦＩＦ２５４によって使用できる。セルＩＤを使用して、ＭＦＩＦ２５４は、ハンドインプロセスを可能にするための情報をフェムトノード２１０にルーティングすることができる。
【００７４】
ＡＰＩＤＭメッセージ８００は、可変長の追加の任意選択フィールド８９０をさらに備えることができる。これらの任意選択フィールド８９０は、他のシグナリング目的またはシステム拡張のために使用できる。ＡＰＩＤＭメッセージ８００はハンドインターゲットの識別を可能にするためのメッセージの例示的な実施形態であることを諒解されよう。メッセージ中のフィールドの順序およびメッセージ中のフィールドの長さは、一例として与えたものであり、実装の考慮事項に対応するために改変することができる。さらに、いくつかのフィールドを追加してもよく、メッセージから除去してもよい。
【００７５】
図９は、図２に示すマクロノードからフェムトノードへのハンドオフを実行するための例示的なプロセスのフローチャートである。図２に関して上記で説明したように、プロセス９００は、ハンドインプロセス中にフェムトノードを識別するのを助けるために使用できる。ハンドインを可能にするために、ステップ９０５に示すように、フェムトノード２１０が、第１および第２の識別子を備える識別メッセージを生成する。上述のように、識別メッセージは、図８に示すＡＰＩＤＭメッセージを備えることができる。さらに、第１の識別子はＭＳＣ  ＩＤを備えることができ、第２の識別子はセルＩＤを備えることができる。一実施形態では、フェムトノード２１０は、ＭＳＣ  ＩＤおよびセルＩＤをＭＦＩＦ２５４から受信することができる。別の実施形態では、フェムトノード２１０は、ＭＳＣ  ＩＤおよびセルＩＤをマクロノード２０５から受信するように構成できる。フェムトノード２１０は、ＭＳＣ  ＩＤおよびセルＩＤをメモリに記憶するように構成できる。一実施形態では、フェムトノード２１０は、識別メッセージを一度生成し、その生成されたメッセージを、繰り返した後の使用のためにメモリに記憶することができる。代替的に、フェムトノード２１０は、周期的にまたは送信ごとに、新しい識別メッセージを生成することができる。フェムトノード２１０が識別メッセージを生成した後、ステップ９１０に示すように、フェムトノード２１０は識別メッセージをアクセス端末（ＡＴ）２２２に送信する。上述のように、フェムトノード２１０は一定の間隔をおいて識別メッセージを送信することができる。代替的に、フェムトノード２１０は、ＡＴ２２２の存在を検出することに応答して、または別の刺激に応答して、識別メッセージを送信することができる。上述のように、フェムトノード２１０は、ＡＴ２２２にパイロット信号をも送信することができる。一実施形態では、パイロット信号と識別メッセージは、異なる論理チャネル上でＡＴ２２２に送信できる。フェムトノード２１０が識別メッセージを送信した後、ステップ９１５に示すように、ＡＴ２２２は識別メッセージを受信する。上述のように、ＡＴ２２２は、受信した識別メッセージを処理して、第１および第２の識別子を得ることができる。識別メッセージを受信した後、ステップ９２０に示すように、ＡＴ２２２は第１および第２の識別子をマクロノード２０５に送信する。上述のように、ＡＴ２２２は、第１および第２の識別子をフェムトノード２１０から受信することに応答して、第１および第２の識別子をマクロノード２０５に送信することができる。別の例では、ＡＴ２２２は、１つまたは複数のハンドオフ基準に基づいて第１および第２の識別子をマクロノード２０５に送信することができる。代替的に、ＡＴ２２２は、フェムトノード２１０に関する情報を求める、マクロノード２０５からの要求に応答して、第１および第２の識別子をマクロノード２０５に送信することができる。ＡＴ２２２が第１および第２の識別子をマクロノード２０５に送信した後、ステップ９２５に示すように、マクロノード２０５は第１および第２の識別子を受信する。上述のように、マクロノード２０５はまた、１つまたは複数のハンドオフ���準に基づいて、フェムトノード２１０へのハンドオフを進めることを判断することができる。マクロノード２０５が第１および第２の識別子を受信した後、ステップ９３０に示すように、マクロノード２０５は第１および第２の識別子をモバイル交換センタ（ＭＳＣ）２５２に送信する。次いで、ステップ９３５に示すように、ＭＳＣ２５２は第１および第２の識別子をマクロノード２０５から受信する。
【００７６】
第１および第２の識別子を受信した後、ステップ９４０に示すように、ＭＳＣ２５２は、第１の識別子に少なくとも部分的に基づいて、フェムトノード２１０に関連付けられたマクロフェムトインターネットワーキング機能（ＭＦＩＦ）２５４を識別する。上述のように、第１の識別子はＭＳＣ  ＩＤとすることができ、ＭＳＣ２５２は、特定のＭＦＩＦを特定のＭＳＣ  ＩＤに関連付けるデータ構造、たとえば、リストまたはテーブルを維持することができる。ＭＳＣ２５２は、フェムトノード２１０によって供給されたＭＳＣ  ＩＤを使用して、フェムトノード２１０に関連付けられたＭＦＩＦ２５４を識別することができる。ＭＳＣ２５２が第１の識別子に基づいてＭＦＩＦ２５４を識別した後、ステップ９４５に示すように、ＭＳＣ２５２は第２の識別子をＭＦＩＦ２５４に送信する。次いで、ステップ９５０に示すように、ＭＦＩＦ２５４は第２の識別子を受信する。第２の識別子を受信した後、ステップ９５５に示すように、ＭＦＩＦ２５４は第２の識別子に少なくとも部分的に基づいてフェムトノード２１０を識別する。上述のように、第２の識別子はセルＩＤを備えることができ、ＭＦＩＦ２５４は、特定のフェムトノードを特定のセルＩＤに関連付けるデータ構造、たとえば、リストまたはテーブルを維持することができる。ＭＦＩＦ２５４は、フェムトノード２１０によって供給されたセルＩＤを使用して、フェムトノード２１０を識別することができる。そのＭＦＩＦがフェムトノード２１０を識別した後、ステップ９６０に示すように、マクロノード２０５からフェムトノード２１０へのハンドインを行う。上述のように、ハンドインを行うことは、マクロノード２０５と、ＭＳＣ２５２と、ＭＦＩＦ２５４と、インターネット２４０と、フェムトノード２１０と、ＡＴ２２２との間のメッセージの送信および受信を備えることができる。たとえば、マクロノード２０５から発生するハンドイン要求を、ＭＳＣ２５２を介してＭＦＩＦ２５４にパスすることができる。そのＭＦＩＦはハンドイン要求をフェムトノード２１０に送信することができる。フェムトノード２１０は、その要求を受け付けて、肯定応答をＭＦＩＦ２５４に送信することができる。ＭＦＩＦ２５４は、ＭＳＣ２５２を介して肯定応答をマクロノード２０５にフォワーディングすることができる。次いで、マクロノード２０５は、ＡＴ２２２にフェムトノード２１０にハンドインするように命令することができる。代替的に、マクロノード２０５は、ハンドインを可能にするためにフェムトノード２１０と直接通信することができる。
【００７７】
図１０は、たとえば、図１および図２に示すワイヤレス通信ネットワークの例示的なカバレッジエリアを示す。カバレッジエリア１０００は、図２に関して上記で説明したように、ＡＴ２２０が通信ネットワーク２５０にアクセスすることができる１つまたは複数の地理的エリアを備えることができる。図示のように、カバレッジエリア１０００は、いくつかのトラッキングエリア１００２（またはルーティングエリアまたは位置登録エリア）を備える。各トラッキングエリア１００２は、図２に関して上記で説明したマクロエリア２３０と同様のものとすることができる、いくつかのマクロエリア１００４を備える。ここで、トラッキングエリア１００２Ａ、１００２Ｂ、および１００２Ｃに関連付けられたカバレッジのエリアは太線によって輪郭を描かれて示され、マクロエリア１００４は六角形によって表されている。トラッキングエリア１００２は、図２に関して上記で説明したフェムトエリア２３０と同様のものとすることができる、フェムトエリア１００６をも備えることができる。この例では、フェムトエリア１００６の各々（たとえば、フェムトエリア１００６Ｃ）は、マクロエリア１００４（たとえば、マクロエリア１００４Ｂ）内に示されている。ただし、フェムトエリア１００６は、完全にマクロエリア１００４内にあるわけではないことがあることを諒解されたい。実際問題として、多数のフェムトエリア１００６を所与のトラッキングエリア１００２またはマクロエリア１００４とともに画定することができる。また、１つまたは複数のピコエリア（図示せず）を所与のトラッキングエリア１００２またはマクロエリア１００４内に画定することができる。
【００７８】
再び図２を参照すると、フェムトノード２１０の所有者は、たとえば、３Ｇモバイルサービスなど、通信ネットワーク２５０（たとえば、モバイル運営者コアネットワーク）を介して提供されるモバイルサービスに加入することができる。さらに、アクセス端末２２２は、マクロ環境（たとえば、マクロエリア）と、より小さいスケールの（たとえば、住居、フェムトエリア、ピコエリアなど）ネットワーク環境との両方で動作することが可能であることがある。言い換えれば、アクセス端末２２２の現在のロケーションに応じて、アクセス端末２２２は、マクロノード２０５によって、またはフェムトノードのセットのうちのいずれか１つ（たとえば、フェムトノード２１０、２１２）によって、通信ネットワーク２５０にアクセスすることができる。たとえば、加入者は、自宅の外にいるときはマクロノード（たとえば、ノード２０５）によってサービスされ、自宅にいるときはフェムトノード（たとえば、ノード２１０）によってサービスされる。フェムトノード２１０は既存のアクセス端末２２２と後方互換性があるものとすることができることをさらに諒解されたい。
【００７９】
フェムトノード２１０は、単一の周波数を介して、または、代替として、複数の周波数を介して通信することができる。特定の構成に応じて、単一の周波数、あるいは複数の周波数のうちの１つまたは複数は、マクロノード（たとえば、ノード２５０）によって使用される１つまたは複数の周波数と重複することがある。
【００８０】
一実施形態では、アクセス端末２２２は、特定の（たとえば、好適な）フェムトノード（たとえば、アクセス端末２２２のホームフェムトノード）の通信レンジ内にあるときはいつでもそのフェムトノードに接続するように構成できる。たとえば、アクセス端末２２２は、フェムトエリア２１５内にあるとき、フェムトノード２１０のみと通信することができる。
【００８１】
別の実施形態では、アクセス端末２２１は、ノードと通信しているが、（たとえば、好適ローミングリストにおいて定義された）好適なノードとは通信していない。本実施形態では、アクセス端末２２１は、ベターシステムリセレクション（「ＢＳＲ」）を使用して、好適なノード（たとえば、好適なフェムトノード２１０）を探索し続けることができる。ＢＳＲは、より良いシステムが現在利用可能であるかどうかを判断するための、利用可能なシステムの周期的走査を備える方法を備えることができる。ＢＳＲは、利用可能な好適なシステムに関連しようと試みることをさらに備えることができる。アクセス端末２２２は、ＢＳＲを、１つまたは複数の特定の帯域および／またはチャネルにわたる走査に限定することができる。好適なフェムトノード２１０を発見すると、アクセス端末２２２は、フェムトエリア２１５内で通信ネットワーク２５０にアクセスするために通信するためのフェムトノード２１０を選択する。
【００８２】
一実施形態では、ノードは、いくつかのサービスをいくつかのアクセス端末のみに提供することができる。そのようなノードは「制限された」または「限定」ノードと呼ばれることがある。制限されたフェムトノードを備えるワイヤレス通信ネットワークでは、マクロノードと、フェムトノード（たとえば、フェムトノード２１０）の定義されたセットとによってのみ、所与のアクセス端末にサービスすることができる。他の実装形態では、ノードは、シグナリング、データアクセス、登録、ページング、またはサービスのうちの少なくとも１つを提供しないように制限できる。
【００８３】
一実施形態では、（限定加入者グループホームノードＢと呼ばれることもある）制限されたフェムトノードは、アクセス端末の制限されたプロビジョニングされたセットにサービスを提供するノードである。このセットは、必要に応じて、追加のまたはより少ないアクセス端末を含むように、一時的にまたは恒久的に変更できる。いくつかの態様では、限定加入者グループ（「ＣＳＧ」）は、アクセス端末の共通のアクセス制御リスト（たとえば、アクセス端末の制限されたプロビジョニングされたセットのリスト）を共有するアクセスノード（たとえば、フェムトノード）のセットとして定義できる。領域中のすべてのフェムトノード（またはすべての制限されたフェムトノード）が動作するチャネルをフェムトチャネルと呼ぶことがある。
【００８４】
したがって、所与のフェムトノードと所与のアクセス端末との間には様々な関係が存在する。たとえば、アクセス端末の観点から、開いたフェムトノードは、制限された関連付けをもたないフェムトノードを指す。制限されたフェムトノードは、何らかの形で制限された（たとえば、関連付けおよび／または登録について制限された）フェムトノードを指す。ホームフェムトノードは、アクセス端末がアクセスし、その上で動作することを許可されるフェムトノードを指す。ゲストフェムトノードは、アクセス端末がアクセスし、またはその上で動作することを一時的に許可されるフェムトノードを指す。外来フェムトノードは、おそらく非常事態（たとえば、９１１番）を除いて、アクセス端末がアクセスし、またはその上で動作することを許可されないフェムトノードを指す。
【００８５】
制限されたフェムトノードの観点から、ホームアクセス端末は、制限されたフェムトノードへのアクセスを許可されるアクセス端末を指す。ゲストアクセス端末は、制限されたフェムトノードへの一時的アクセスをもつアクセス端末を指す。外来アクセス端末は、おそらく９１１番などの非常事態を除いて、制限されたフェムトノードにアクセスするための許可を有しないアクセス端末を指す。
【００８６】
便宜のために、本明細書の開示では、フェムトノードに関係する様々な機能について説明する。ただし、ピコノードは、同じまたは同様の機能をより大きいカバレッジエリアに提供することができることを諒解されたい。たとえば、所与のアクセス端末に対して、ピコノードを制限すること、ホームピコノードを定義することなどが可能である。
【００８７】
ワイヤレス多元接続通信システムは、複数のワイヤレスアクセス端末のための通信を同時にサポートすることができる。上述のように、各アクセス端末は、順方向リンクおよび逆方向リンク上の送信を介して１つまたは複数のノードと通信することができる。順方向リンク（またはダウンリンク）は、ノードからアクセス端末への通信リンクを指し、逆方向リンク（またはアップリンク）は、アクセス端末からノードへの通信リンクを指す。この通信リンクは、単一入力単一出力システム、多入力多出力（「ＭＩＭＯ」）システム、または何らかの他のタイプのシステムを介して確立できる。
【００８８】
ＭＩＭＯシステムは、データ送信のために複数（ＮＴ個）の送信アンテナと複数（ＮＲ個）の受信アンテナとを採用する。ＮＴ個の送信アンテナとＮＲ個の受信アンテナとによって形成されるＭＩＭＯチャネルは、空間チャネルと呼ばれることもあるＮＳ個の独立チャネルからなることができ、ここで、ＮＳ≦ｍｉｎ｛ＮＴ，ＮＲ｝である。ＮＳ個の独立チャネルの各々は１つの次元に対応する。複数の送信アンテナおよび受信アンテナによって生成された追加の次元数が利用された場合、ＭＩＭＯシステムは改善されたパフォーマンス（たとえば、より高いスループットおよび／またはより大きい信頼性）を与えることができる。
【００８９】
ＭＩＭＯシステムは時分割複信（「ＴＤＤ」）および周波数分割複信（「ＦＤＤ」）をサポートすることができる。ＴＤＤシステムでは、順方向および逆方向リンク送信が同一周波数領域上で行われるので、相反定理による逆方向リンクチャネルからの順方向リンクチャネルの推定が可能である。これにより、複数のアンテナが装置（たとえば、ノード、アクセス端末など）において利用可能であるとき、その装置は順方向リンク上で送信ビームフォーミング利得を抽出することが可能になる。
【００９０】
本明細書の教示は、少なくとも１つの他の装置（たとえば、ノード、アクセス端末など）と通信するための様々な構成要素を採用する装置に組み込むことができる。
【００９１】
図１１は、図２に示す別の例示的なノードと別の例示的なアクセス端末との機能ブロック図である。図示のように、ＭＩＭＯシステム１１００は、ワイヤレス装置１１１０（たとえば、フェムトノード２１０、２１２、マクロノード２０５など）とワイヤレス装置１１５０（たとえば、ＡＴ２２２）とを備える。装置１１１０では、いくつかのデータストリームのトラフィックデータが、データソース１１１２から送信（「ＴＸ」）データプロセッサ１１１４に供給される。
【００９２】
一実施形態では、各データストリームは、それぞれの送信アンテナを介して送信される。ＴＸデータプロセッサ１１１４は、符号化データを与えるために、そのデータストリーム用に選択された特定の符号化方式に基づいて、データストリームごとにトラフィックデータをフォーマットし、符号化し、インターリーブする。
【００９３】
各データストリームの符号化データは、ＯＦＤＭ技法を使用してパイロットデータで多重化できる。パイロットデータは、典型的には、既知の方法で処理され、チャネル応答を推定するために受信機システムにおいて使用できる既知のデータパターンである。次いで、各データストリームの多重化されたパイロットデータおよび符号化データは、変調シンボルを与えるために、そのデータストリーム用に選択された特定の変調方式（たとえば、ＢＰＳＫ、ＱＳＰＫ、Ｍ−ＰＳＫ、またはＭ−ＱＡＭ）に基づいて変調（すなわち、シンボルマッピング）される。各データストリームのデータレート、符号化、および変調は、プロセッサ１１３０によって実行される命令によって判断できる。データメモリ１１３２は、プロセッサ１１３０または装置１１１０の他の構成要素によって使用されるプログラムコード、データ、および他の情報を記憶することができる。
【００９４】
次いで、すべてのデータストリームの変調シンボルがＴＸ  ＭＩＭＯプロセッサ１１２０に供給され、ＴＸ  ＭＩＭＯプロセッサ１１２０はさらに（たとえば、ＯＦＤＭ用に）その変調シンボルを処理することができる。次いで、ＴＸ  ＭＩＭＯプロセッサ１１２０は、ＮＴ個の変調シンボルストリームをＮＴ個のトランシーバ（「ＸＣＶＲ」）１１２２Ａ〜１１２２Ｔに供給する。いくつかの態様では、ＴＸ  ＭＩＭＯプロセッサ１１２０は、データストリームのシンボルと、シンボルの送信元のアンテナとにビームフォーミング重みを付加する。
【００９５】
各トランシーバ１１２２は、それぞれのシンボルストリームを受信し、処理して、１つまたは複数のアナログ信号を与え、さらに、それらのアナログ信号を調整（たとえば、増幅、フィルタ処理、およびアップコンバート）して、ＭＩＭＯチャネルを介して送信するのに適した変調信号を与える。次いで、トランシーバ１１２２Ａ〜１１２２ＴからのＮＴ個の変調信号は、それぞれ、ＮＴ個のアンテナ１１２４Ａ〜１１２４Ｔから送信される。
【００９６】
装置１１５０では、送信された変調信号はＮＲ個のアンテナ１１５２Ａ〜１１５２Ｒによって受信され、各アンテナ１１５２からの受信信号は、それぞれのトランシーバ（「ＸＣＶＲ」）１１５４Ａ〜１１５４Ｒに供給される。各トランシーバ１１５４は、それぞれの受信信号を調整（たとえば、フィルタ処理、増幅、およびダウンコンバート）し、調整された信号をデジタル化して、サンプルを与え、さらにそれらのサンプルを処理して、対応する「受信」シンボルストリームを与える。
【００９７】
次いで、受信（「ＲＸ」）データプロセッサ１１６０は、特定の受信機処理技法に基づいてＮＲ個のトランシーバ１１５４からＮＲ個の受信シンボルストリームを受信し、処理して、ＮＴ個の「検出」シンボルストリームを与える。次いで、ＲＸデータプロセッサ１１６０は、各検出シンボルストリームを復調し、デインターリーブし、復号して、データストリームに対するトラフィックデータを復元する。ＲＸデータプロセッサ１１６０によって実行される処理は、装置１１１０においてＴＸ  ＭＩＭＯプロセッサ１１２０およびＴＸデータプロセッサ１１１４によって実行される処理を補足するものである。
【００９８】
プロセッサ１１７０は、どのプリコーディング行列（以下で論じる）を使用すべきかを周期的に判断する。プロセッサ１１７０は、行列インデックス部とランク値部とを備える逆方向リンクメッセージを作成する。データメモリ１１７２は、プロセッサ１１７０または装置１１５０の他の構成要素によって使用されるプログラムコード、データ、および他の情報を記憶することができる。
【００９９】
逆方向リンクメッセージは、通信リンクおよび／または受信データストリームに関する様々なタイプの情報を備えることができる。次いで、逆方向リンクメッセージはＴＸデータプロセッサ１１３８によって処理される。また、ＴＸデータプロセッサ１１３８は、データソース１１３６からいくつかのデータストリームのトラフィックデータを受信する。変調器１１８０はデータストリームを変調する。さらに、トランシーバ１１５４Ａ〜１１５４Ｒは、データストリームを調整し、データストリームを装置１１１０に返送する。
【０１００】
装置１１１０では、装置１１５０からの変調信号はアンテナ１１２４によって受信される。さらに、トランシーバ１１２２は変調信号を調整する。復調器（「ＤＥＭＯＤ」）１１４０は変調信号を復調する。ＲＸデータプロセッサ１１４２は、復調された信号を処理し、装置１１５０によって送信された逆方向リンクメッセージを抽出する。次いで、プロセッサ１１３０は、ビームフォーミング重みを判断するためにどのプリコーディング行列を使用すべきかを判断する。さらに、プロセッサ１１３０は、抽出されたメッセージを処理する。
【０１０１】
さらに、装置１１１０および／または装置１１５０は、本明細書で教示する干渉制御動作を実行する１つまたは複数の構成要素を備えることができる。たとえば、干渉（「ＩＮＴＥＲ」）制御構成要素１１９０は、プロセッサ１１３０および／または装置１１１０の他の構成要素と協働して、本明細書で教示する別の装置（たとえば、装置１１５０）との間で信号を送信／受信することができる。同様に、干渉制御構成要素１１９２は、プロセッサ１１７０および／または装置１１５０の他の構成要素と協働して、別の装置（たとえば、装置１１１０）との間で信号を送信／受信することができる。各装置１１１０および１１５０について、記載の構成要素のうちの２つ以上の機能が単一の構成要素によって提供できることを諒解されたい。たとえば、単一の処理構成要素が干渉制御構成要素１１９０およびプロセッサ１１３０の機能を提供することができる。さらに、単一の処理構成要素が干渉制御構成要素１１９２およびプロセッサ１１７０の機能を提供することができる。
【０１０２】
（たとえば、添付の図の１つまたは複数に関して）本明細書で説明した機能は、いくつかの態様では、添付の特許請求の範囲において同様に指定された「手段」機能に対応することがある。図１２及び図１３を参照すると、装置１２００、および１３００が、一連の相互に関連する機能モジュールとして表されている。
【０１０３】
図１２は、図２に示すさらに別の例示的なフェムトノードの機能ブロック図である。図示のように、フェムトノード２１０は、処理モジュール１２０５と、記憶モジュール１２１０と、通信モジュール１２１５と、メッセージフォーマットモジュール１２２０と、受信モジュール１２３０と、送信モジュール１２３１とを備えることができる。処理モジュール１２０５は、少なくともいくつかの態様では、たとえば、本明細書で説明するプロセッサに対応することがある。記憶モジュール１２１０は、少なくともいくつかの態様では、たとえば、本明細書で説明するメモリに対応することがある。通信モジュールは、少なくともいくつかの態様では、たとえば、本明細書で説明するプロセッサに対応することがある。メッセージフォーマットモジュール１２２０は、少なくともいくつかの態様では、たとえば、本明細書で説明するメッセージフォーマッタに対応することがある。受信モジュール１２３０は、少なくともいくつかの態様では、たとえば、本明細書で説明するワイヤードまたはワイヤレスネットワークインターフェースに対応することがある。送信モジュール１２３１は、少なくともいくつかの態様では、たとえば、本明細書で説明するワイヤードまたはワイヤレスネットワークインターフェースに対応することがある。
【０１０４】
図１３は、図２に示すさらに別の例示的なアクセス端末の機能ブロック図である。図示のように、ＡＴ２２２は、処理モジュール１３０５と、記憶モジュール１３１０と、フォーマットモジュール１３１５と、取得モジュール１３２０と、比較モジュール１３２５と、受信モジュール１３４０と、送信モジュール１３４１と、通信モジュール１３４５とを備えることができる。処理モジュール１３０５は、少なくともいくつかの態様では、たとえば、本明細書で説明するプロセッサに対応することがある。記憶モジュール１３１０は、少なくともいくつかの態様では、たとえば、本明細書で説明するメモリに対応することがある。フォーマットモジュール１３１５は、少なくともいくつかの態様では、たとえば、本明細書で説明するメッセージフォーマッタに対応することがある。取得モジュール１３２０は、少なくともいくつかの態様では、たとえば、本明細書で説明するメッセージインタープリタに対応することがある。比較モジュール１３２５は、少なくともいくつかの態様では、たとえば、本明細書で説明するメッセージインタープリタに対応することがある。受信モジュール１３４０は、少なくともいくつかの態様では、たとえば、本明細書で説明するワイヤレスネットワークインターフェースに対応することがある。送信モジュール１３４１は、少なくともいくつかの態様では、たとえば、本明細書で説明するワイヤレスネットワークインターフェースに対応することがある。通信モジュール１３４５は、少なくともいくつかの態様では、たとえば、本明細書で説明するプロセッサに対応することがある。
【０１０５】
図１２及び図１３のモジュールの機能は、本明細書の教示に合致する様々な方法で実装できる。いくつかの態様では、これらのモジュールの機能は、１つまたは複数の電気構成要素として実装できる。いくつかの態様では、これらのブロックの機能は、１つまたは複数のプロセッサ構成要素を含む処理システムとして実装できる。いくつかの態様では、これらのモジュールの機能は、たとえば、１つまたは複数の集積回路（たとえば、ＡＳＩＣ）の少なくとも一部分を使用して実装できる。本明細書で説明するように、集積回路は、プロセッサ、ソフトウェア、他の関連した構成要素、またはそれらの何らかの組合せを含むことができる。これらのモジュールの機能は、本明細書で教示する何らかの他の方法で実装することもできる。
【０１０６】
本明細書における「第１」、「第２」などの名称を使用した要素への言及は、それらの要素の数量または順序を概括的に限定するものでないことを理解されたい。むしろ、これらの名称は、本明細書において２つ以上の要素またはある要素の複数の例を区別する便利な方法として使用できる。したがって、第１および第２の要素への言及は、そこで２つの要素のみが使用できること、または第１の要素が何らかの方法で第２の要素に先行しなければならないことを意味するものではない。また、別段の規定がない限り、要素のセットは１つまたは複数の要素を備えることがある。さらに、明細書または特許請求の範囲において使用される「Ａ、Ｂ、またはＣのうちの少なくとも１つ」という形式の用語は、「ＡまたはＢまたはＣ、あるいはこれらの要素の任意の組合せ」を意味する。
【０１０７】
本明細書で提示する実施形態および他の実施形態については、さらに添付の付録においてより詳細に説明されている。本明細書では本発明の特定の例について説明しているが、当業者なら、発明の概念を逸脱することなく本発明の変形物を考案することができる。たとえば、本明細書の教示は、回路交換ネットワーク要素について言及しているが、パケット交換ドメインネットワーク要素に等しく適用可能である。
【０１０８】
情報および信号は、様々な異なる技術および技法のいずれを使用しても表すことができることを、当業者なら理解されよう。たとえば、上記の説明全体にわたって言及されるデータ、命令、コマンド、情報、信号、ビット、シンボル、およびチップは、電圧、電流、電磁波、磁界または磁性粒子、光学場または光学粒子、あるいはそれらの任意の組合せによって表すことができる。
【０１０９】
さらに、本明細書で開示した例に関連して説明した様々な例示的な論理ブロック、モジュール、回路、方法およびアルゴリズムは、電子ハードウェア、コンピュータソフトウェア、または両方の組合せとして実装できることを、当業者は理解されよう。ハードウェアとソフトウェアのこの互換性を明確に説明するために、様々な例示的な構成要素、ブロック、モジュール、回路、方法、およびアルゴリズムについて、概してそれらの機能に関して上記で説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装することができるが、そのような実装の決定は、本発明の範囲からの逸脱を生じるものと解釈すべきではない。
【０１１０】
本明細書で開示した例に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理装置、個別ゲートまたはトランジスタロジック、個別ハードウェア構成要素、あるいは本明細書で説明する機能を実行するように設計されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピュータ装置組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装することもできる。
【０１１１】
本明細書で開示した例に関して説明した方法またはアルゴリズムは、直接ハードウェアで、プロセッサによって実行されるソフトウェアモジュールで、またはそれらの２つの組合せで実施できる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐することができる。記憶媒体は、プロセッサがその記憶媒体から情報を読み取り、その記憶媒体に情報を書き込むことができるようにプロセッサに結合できる。代替として、記憶媒体はプロセッサに一体化することができる。プロセッサおよび記憶媒体はＡＳＩＣ中に常駐することができる。
【０１１２】
１つまたは複数の例示的な実施形態では、説明した機能はハードウェア、ソフトウェア、ファームウェア、またはそれらの任意の組合せで実装できる。ソフトウェアで実装する場合、機能は、１つまたは複数の命令またはコードとしてコンピュータ可読媒体上に記憶するか、あるいはコンピュータ可読媒体を介して送信することができる。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスできる任意の利用可能な媒体とすることができる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶装置、あるいは命令またはデータ構造の形の所望のプログラムコードを搬送または記憶するために使用でき、コンピュータによってアクセスできる、任意の他の媒体を備えることができる。また、いかなる接続もコンピュータ可読媒体と適切に呼ばれる。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用されるディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピーディスク（disk）およびブルーレイディスク（disc）を含み、ディスク（disk）は、通常、データを磁気的に再生し、ディスク（disc）は、データをレーザで光学的に再生する。上記の組合せもコンピュータ可読媒体の範囲内に含めるべきである。
【０１１３】
開示した例の前述の説明は、当業者が本発明を実施または使用できるようにするために与えたものである。これらの例の様々な修正は、当業者には容易に明らかになるものであり、本明細書で定義した一般原理は、本発明の趣旨または範囲から逸脱することなく他の例に適用できる。したがって、本発明は、本明細書で示した例に限定されるものではなく、本明細書で開示した原理および新規の特徴に合致する最も広い範囲が与えられるべきである。
【図１】
2011528540.tif 000003
【図２】
2011528540.tif 000004
【図３】
2011528540.tif 000005
【図４】
2011528540.tif 000006
【図５】
2011528540.tif 000007
【図６】
2011528540.tif 000008
【図７】
2011528540.tif 000009
【図８】
2011528540.tif 000010
【図９】
2011528540.tif 000011
【図１０】
2011528540.tif 000012
【図１１】
2011528540.tif 000013
【図１２】
2011528540.tif 000014
【図１３】
2011528540.tif 000015
【手続補正書】
【提出日】平成23年5月19日(2011.5.19)
【手続補正１】
【補正対象書類名】明細書
【補正対象項目名】００２３
【補正方法】変更
【補正の内容】
【００２３】
また、ＭＳＣ２５２は、マクロフェムトインターネットワーキング機能（ＭＦＩＦ）２５４と通信することができる。一般に、ＭＦＩＦ２５４は、最初に、マクロノード２０５およびＭＳＣ２５２を介してＡＴ２２０からメッセージを受信することによってそのＡＴ２２０とＡＴ２２１との間の通信を可能にすることができる。次いで、ＭＦＩＦ２５４は、ＡＴ２２１に送信するために、そのメッセージをフェムトノードにルーティングすることができる。ＭＳＣ２５２とＭＦＩＦ２５４は、上述のように直接ワイヤードリンクを介して通信することができる。ＭＳＣ２５２とＭＦＩＦ２５４は、共同設置してもよく、異なるロケーションに展開してもよい。
【手続補正２】
【補正対象書類名】明細書
【補正対象項目名】００２６
【補正方法】変更
【補正の内容】
【００２６】
上述のように、マクロノード２０５、ＭＳＣ２５２、ＭＦＩＦ２５４、インターネット２４０、およびフェムトノード２１２は、ＡＴ２２０とＡＴ２２１との間に通信リンクを形成するように相互動作することができる。たとえば、ＡＴ２２０はメッセージを生成し、それをマクロノード２０５に送信することができる。次いで、マクロノード２０５は、そのメッセージをＭＳＣ２５２に送信することができる。その後、ＭＳＣ２５２は、そのメッセージをＭＦＩＦ２５４に送信することができる。次いで、ＭＦＩＦ２５４は、そのメッセージをインターネット２４０に送信することができる。次いで、インターネット２４０は、そのメッセージをフェムトノード２１２に送信することができる。次いで、フェムトノード２１２は、そのメッセージをＡＴ２２１に送信することができる。同様に、ＡＴ２２１からＡＴ２２０への逆の経路をたどることができる。
【手続補正３】
【補正対象書類名】明細書
【補正対象項目名】００３６
【補正方法】変更
【補正の内容】
【００３６】
プロセッサ３２０は、さらに、１つまたは複数のバスを介してメモリ３４０に結合できる。プロセッサ３２０は、メモリ３４０から情報を読み取るか、またはメモリ３４０に情報を書き込むことができる。たとえば、メモリ３４０は、処理の前に、処理中に、または処理の後に、インバウンド、またはアウトバウンドメッセージを記憶するように構成できる。特に、メモリ３４０は、ＡＰＩＤＭメッセージを記憶するように構成できる。プロセッサ３２０はメッセージフォーマッタ３５０にも結合できる。メッセージフォーマッタ３５０は、マクロノード２０５からフェムトノード２１０へのハンドインを可能にするために使用されるＡＰＩＤＭメッセージを生成するように構成できる。上述のように、マクロノード２０５からフェムトノード２１０にＡＴ２２０をハンドインするプロセスにおいて、複数のフェムトノード２１０、２１２の存在はＡＰＩＤＭメッセージに依拠することがある。図２に関して上記で説明したように、ＡＰＩＤＭメッセージはＭＳＣ  ＩＤおよびセルＩＤを備えることができる。メッセージフォーマッタ３５０は、生成されたＡＰＩＤＭメッセージがワイヤレスネットワークインターフェース３１０を介してＡＴ２２２に送信される前に、任意の追加の処理のために、そのＡＰＩＤＭメッセージをプロセッサ３２０にパスすることができる。メッセージフォーマッタ３５０はまた、メッセージのフォーマット（message formatting）において使用する情報を記憶するかまたは取り出すために、メモリ３４０に直接結合できる。一実施形態では、処理され、フォーマットされたＡＰＩＤＭメッセージは、ワイヤレスネットワークインターフェース３１０によって送信するかまたは周期的にブロードキャストし、たとえば、ＡＴ２２２などのＡＴによって受信することができる。
【手続補正４】
【補正対象書類名】明細書
【補正対象項目名】００５４
【補正方法】変更
【補正の内容】
【００５４】
ワイヤードネットワークインターフェース５３０はモデムを備えることができる。そのモデムは、ＭＳＣ２５２に行くかまたはＭＳＣ２５２から来るアウトバウンド／インバウンドワイヤードメッセージを変調／復調するように構成できる。ワイヤードネットワークインターフェース５３０は、当技術分野で知られている方法を使用して１つまたは複数のワイヤード規格に従って、受信したデータを復調することができる。復調されたデータはプロセッサ５２０に送信できる。ワイヤードネットワークインターフェース５３０は、当技術分野で知られている方法を使用して１つまたは複数のワイヤード規格に従って、ワイヤードネットワークインターフェース５３０を介してマクロノード２０５から送信すべきデータを変調することができる。プロセッサ５２０は、送信すべきデータを与えることができる。
【手続補正５】
【補正対象書類名】明細書
【補正対象項目名】００６４
【補正方法】変更
【補正の内容】
【００６４】
図７は、図２に示す例示的なマクロフェムトインターネットワーキング機能の機能ブロック図である。図２に関して上記で説明したように、ＭＦＩＦ２５４は、インターネット２４０を介してＭＳＣ２５２とフェムトノード２１０との間のメッセージをルーティングするように構成されたフェムトスイッチとして動作する。さらに、ＭＦＩＦ２５４は、セルＩＤに基づいてフェムトノード２１０などのハンドインターゲットを識別するのを助けるように構成できる。ＭＦＩＦ２５４は、インターネット２４０を介してＭＳＣ２５２またはフェムトノード２１０からインバウンドメッセージを受信し、そこにアウトバウンドメッセージを送信するように構成されたネットワークインターフェース７１０を備えることができる。ネットワークインターフェース７１０はプロセッサ７２０に結合できる。プロセッサ７２０は、インバウンドおよびアウトバウンドメッセージを処理するように構成できる。プロセッサ７２０は、さらに、１つまたは複数のバスを介してメモリ７２５に結合できる。プロセッサ７２０は、メモリ７２５から情報を読み取るか、またはメモリ７２５に情報を書き込むことができる。メモリ７２５は、処理の前に、処理中に、または処理の後に、インバウンドおよびアウトバウンドメッセージを記憶するように構成できる。特に、メモリ７２５は、上述のセルＩＤを記憶するように構成できる。
【手続補正６】
【補正対象書類名】明細書
【補正対象項目名】００７９
【補正方法】変更
【補正の内容】
【００７９】
フェムトノード２１０は、単一の周波数を介して、または、代替として、複数の周波数を介して通信することができる。特定の構成に応じて、単一の周波数、あるいは複数の周波数のうちの１つまたは複数は、マクロノード（たとえば、ノード２０５）によって使用される１つまたは複数の周波数と重複することがある。
【国際調査報告】
2011528540.tif 000016
2011528540.tif 000017
2011528540.tif 000018